(57)【特許請求の範囲】
【請求項１】
被写体に放射線を照射する放射線源と、
二次元状に配列された複数の放射線検出素子を備え、放射線の照射により前記各放射線検出素子内で発生した電荷を画像データとして読み出す可搬型放射線画像撮影装置と、
前記可搬型放射線画像撮影装置を装填可能なブッキー装置と、
少なくとも前記可搬型放射線画像撮影装置が前記ブッキー装置に装填されているか否かを管理し、かつ、前記可搬型放射線画像撮影装置を前記ブッキー装置に装填した状態で撮影を行うか否かの情報を含む複数の撮影オーダ情報を登録し、または、登録された前記複数の撮影オーダ情報を入手することが可能なコンソールと、
を備え、
前記コンソールは、
前記各撮影オーダ情報に対応するアイコンをそれぞれ表示可能な表示部を備え、
前記表示部に、前記各撮影オーダ情報に対応する前記各アイコンを、前記各撮影オーダ情報の所定の順番に表示させるとともに、
前記可搬型放射線画像撮影装置が前記ブッキー装置に装填されている場合には、前記所定の順番にかかわらず、当該ブッキー装置に前記可搬型放射線画像撮影装置を装填した状態で撮影を行うことを指定する情報を有する前記撮影オーダ情報に対応する前記アイコンを、他のアイコンとは異なる態様で表示し、
前記可搬型放射線画像撮影装置が前記ブッキー装置に装填されていない場合には、前記所定の順番にかかわらず、前記可搬型放射線画像撮影装置を前記ブッキー装置に装填しない状態で撮影を行うことを指定する情報を有する前記撮影オーダ情報に対応する前記アイコンを他のアイコンとは異なる態様で表示することを特徴とする放射線画像撮影システム。
【請求項２】
前記ブッキー装置として、立位撮影用のブッキー装置および臥位撮影用のブッキー装置のうちのいずれか、またはそれらの両方を備えることを特徴とする請求項１に記載の放射線画像撮影システム。
【請求項３】
前記ブッキー装置は、前記可搬型放射線画像撮影装置が装填されると、当該可搬型放射線画像撮影装置が装填されたことを表す情報を前記コンソールに送信することを特徴とする請求項１または請求項２に記載の放射線画像撮影システム。
【請求項４】
前記コンソールは、前記ブッキー装置から前記可搬型放射線画像撮影装置が装填されたことを表す情報を受信すると、当該ブッキー装置に前記可搬型放射線画像撮影装置を装填した状態で撮影を行うことを指定する情報を有する前記撮影オーダ情報に対応する前記アイコンを、他のアイコンとは異なる態様で表示することを特徴とする請求項３に記載の放射線画像撮影システム。
【請求項５】
前記ブッキー装置は、前記可搬型放射線画像撮影装置のほか、ＣＲカセッテをも装填可能とされており、かつ、前記ＣＲカセッテの識別情報を読み取る読取手段を備え、
前記コンソールは、前記ブッキー装置から、当該ブッキー装置の前記読取手段で読み取られた前記ＣＲカセッテの識別情報を受信すると、当該ブッキー装置に前記可搬型放射線画像撮影装置を装填した状態で撮影を行うことを指定する情報を有する前記撮影オーダ情報に対応する前記アイコンを、他のアイコンとは異なる態様で表示することを特徴とする請求項１から請求項４のいずれか一項に記載の放射線画像撮影システム。
【請求項６】
前記可搬型放射線画像撮影装置を複数備え、
前記各可搬型放射線画像撮影装置は、操作されると当該可搬型放射線画像撮影装置が選択された旨の選択信号を前記コンソールに通知する選択手段を備え、
前記コンソールは、いずれか１つの前記可搬型放射線画像撮影装置から前記選択信号を受信すると、前記可搬型放射線画像撮影装置を前記ブッキー装置に装填しない状態で撮影を行うことを指定する情報を有する前記撮影オーダ情報に対応する前記アイコンを他のアイコンとは異なる態様で表示することを特徴とする請求項１から請求項５のいずれか一項に記載の放射線画像撮影システム。
【請求項７】
前記コンソールは、
前記放射線源から、前記放射線源の現在の起動状態または前記放射線源の現在の照射方向の少なくとも１つの情報を入手して管理し、
前記可搬型放射線画像撮影装置または撮影可能な状態である前記放射線画像撮影装置が複数存在する場合には、前記放射線源の現在の起動状態の情報または前記放射線源の現在の照射方向の情報のうちの少なくとも１つの情報に基づいて、前記起動状態または前記照射方向を変えないで撮影を行うことができる前記撮影オーダ情報に対応するアイコン、または、前記起動状態または前記照射方向の変更の程度が最も少ない前記撮影オーダ情報に対応するアイコンを、他のアイコンとは異なる態様で表示することを特徴とする請求項６に記載の放射線画像撮影システム。
【請求項８】
前記コンソールは、
前記放射線源から、前記放射線源の現在の起動状態または前記放射線源の現在の照射方向の少なくとも１つの情報を入手して管理し、
前記可搬型放射線画像撮影装置または撮影可能な状態である前記放射線画像撮影装置が複数存在する場合には、前記放射線源の現在の起動状態の情報または前記放射線源の現在の照射方向の情報のうちの少なくとも１つの情報に基づいて、撮影を行うことが可能な前記撮影オーダ情報を判断し、撮影を行うことが可能な前記撮影オーダ情報が複数存在する場合には、当該複数の撮影オーダ情報にそれぞれ対応する複数のアイコンを他のアイコンとは異なる態様で表示するとともに、当該複数のアイコンの中から１つのアイコンを選択可能であることを報知することを特徴とする請求項６に記載の放射線画像撮影システム。
【請求項９】
前記可搬型放射線画像撮影装置を複数備え、
前記コンソールは、
複数の前記可搬型放射線画像撮影装置のうちのいずれの可搬型放射線画像撮影装置が撮影可能な状態であるかを管理することともに、
撮影可能な状態である前記可搬型放射線画像撮影装置が前記ブッキー装置に装填されている場合には、前記所定の順番にかかわらず、当該ブッキー装置に前記可搬型放射線画像撮影装置を装填した状態で撮影を行うことを指定する情報を有する前記撮影オーダ情報に対応する前記アイコンを、他のアイコンとは異なる態様で表示し、
撮影可能な状態である前記可搬型放射線画像撮影装置が前記ブッキー装置に装填されていない場合には、前記所定の順番にかかわらず、前記可搬型放射線画像撮影装置を前記ブッキー装置に装填しない状態で撮影を行うことを指定する情報を有する前記撮影オーダ情報に対応する前記アイコンを他のアイコンとは異なる態様で表示することを特徴とする請求項１から請求項８のいずれか一項に記載の放射線画像撮影システム。
【請求項１０】
前記コンソールは、
前記放射線源から、前記放射線源の現在の起動状態または前記放射線源の現在の照射方向の少なくとも１つの情報を入手して管理し、
撮影可能な状態である前記可搬型放射線画像撮影装置が複数存在する場合には、前記放射線源の現在の起動状態の情報または前記放射線源の現在の照射方向の情報のうちの少なくとも１つの情報に基づいて、撮影を行うことが可能な前記撮影オーダ情報を判断し、撮影を行うことが可能な前記撮影オーダ情報が複数存在する場合には、当該複数の撮影オーダ情報にそれぞれ対応する複数のアイコンを他のアイコンとは異なる態様で表示するとともに、当該複数のアイコンの中から１つのアイコンを選択可能であることを報知することを特徴とする請求項９に記載の放射線画像撮影システム。
【請求項１１】
前記コンソールは、前記複数の撮影オーダ情報に対応する前記複数のアイコンの中から１つの前記アイコンが選択されると、選択された当該アイコンを、他のアイコンとは異なる態様で表示することを特徴とする請求項８または請求項１０に記載の放射線画像撮影システム。
【請求項１２】
前記コンソールは、前記他のアイコンとは異なる態様で表示した前記アイコン以外の前記アイコンが選択された場合には、選択された前記アイコンを他のアイコンとは異なる態様で表示することを特徴とする請求項１から請求項１１のいずれか一項に記載の放射線画像撮影システム。
【請求項１３】
前記コンソールは、前記アイコンを他のアイコンとは異なる態様で表示する場合、当該アイコン以外のアイコンが他のアイコンとは異なる態様で表示されていた場合には、他のアイコンとは異なる態様で表示されていた前記アイコンを前記他のアイコンと同じ態様に戻して表示することを特徴とする請求項４から請求項１２のいずれか一項に記載の放射線画像撮影システム。
【請求項１４】
前記コンソールは、
前記表示部上に前記他のアイコンとは異なる態様で表示した前記アイコンに対応する前記撮影オーダ情報に基づいて、前記放射線源を、放射線を照射可能な状態に起動させるとともに、
撮影後、前記可搬型放射線画像撮影装置から、読み出された前記画像データ、または前記画像データに基づいて作成された間引きデータが送信されてくると、前記画像データまたは前記間引きデータに基づいてプレビュー画像を作成し、作成した前記プレビュー画像を、前記表示部上の、前記他のアイコンとは異なる態様で表示した前記アイコンが表示されていた位置に、前記プレビュー画像を表示することを特徴とする請求項１から請求項４、請求項６、請求項７、請求項９、請求項１１から請求項１３のいずれか一項に記載の放射線画像撮影システム。
【請求項１５】
前記コンソールは、
前記表示部上に前記他のアイコンとは異なる態様で表示した前記アイコンに対応する前記撮影オーダ情報と前記ＣＲカセッテの識別情報とに基づいて、前記放射線源を、放射線を照射可能な状態に起動させるとともに、
撮影後、画像読取装置で前記ＣＲカセッテから読み出された画像データが送信されてくると、前記画像データに基づいてプレビュー画像を作成し、作成した前記プレビュー画像を、前記表示部上の、前記他のアイコンとは異なる態様で表示した前記アイコンが表示されていた位置に、前記プレビュー画像を表示することを特徴とする請求項５に記載の放射線画像撮影システム。
【請求項１６】
前記コンソールは、前記画像データに基づいて最終的な放射線画像を生成すると、前記表示部上の、前記プレビュー画像が表示されていた位置に前記放射線画像を表示することを特徴とする請求項１４または請求項１５に記載の放射線画像撮影システム。
【請求項１７】
前記コンソールは、前記表示部上に、前記プレビュー画像または前記放射線画像を表示すると、前記プレビュー画像または前記放射線画像が表示されている前記表示部上の位置に表示されていた前記アイコンを選択できないように制御することを特徴とする請求項１４から請求項１６のいずれか一項に記載の放射線画像撮影システム。
【発明の詳細な説明】
【技術分野】
【０００１】
本発明は、放射線画像撮影システムに係り、特に、撮影オーダ情報に対応するアイコンを表示部に表示して選択可能なコンソールを備える放射線画像撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）装置が開発され、最近では、照射された放射線を放射線検出素子で検出してデジタル画像データとして取得する放射線画像撮影装置が開発されている。【０００３】
このタイプの放射線画像撮影装置はＦＰＤ（Flat Panel Detector）として知られており、上記のＣＲ装置よりも画像データ表示を素早く行えるので、早期診断に貢献可能となっている。従来は、支持台等と一体的に形成された、いわゆる専用機として開発された（例えば特許文献１、２参照）。また、近年、放射線検出素子等をハウジングに収納して可搬とした可搬型の放射線画像撮影装置が開発され、実用化されている（例えば特許文献３、４参照）。【０００４】
放射線画像撮影装置としては、照射されたＸ線等の放射線の線量に応じて検出素子で電荷を発生させて電気信号に変換するいわゆる直接型の放射線画像撮影装置や、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型の放射線画像撮影装置が知られている。なお、本発明では、直接型の放射線画像撮影装置における検出素子や、間接型の放射線画像撮影装置における光電変換素子を、あわせて放射線検出素子という。【０００５】
ところで、このような専用機や可搬型の放射線画像撮影装置を用いて、病院や医院で患者の身体等を撮影する場合、病院や医院内の撮影室内に放射線画像撮影装置を設置し、或いは持ち込み、撮影室外に設置されたコンソールで放射線画像撮影装置や放射線発生装置等を制御して放射線画像を行うように放射線画像撮影システムが構築される場合がある。【０００６】
このような放射線画像撮影システムでは、通常、後述する撮影オーダ情報（例えば後述する図１３参照）に基づいて放射線画像撮影が行われるように構築される。撮影オーダ情報は、患者に対する問診等に基づき決定された、撮影室で行われる放射線画像撮影に関する情報や指令等が設定されたものであり、例えば、患者ＩＤ等の患者情報や、撮影する患者の身体の部位や撮影方向、使用する装置を指定する装置情報等の撮影条件等の各項目を指定して登録されるようになっている。【０００７】
そして、コンソールは、医師や放射線技師等により選択された各撮影オーダ情報に基づいて放射線画像撮影装置や放射線発生装置等を制御するように構成される場合がある。【０００８】
特許文献５に記載の放射線画像撮影システムでは、その際、コンソールの表示部上に、例えば来院した患者に関する各撮影オーダ情報をそれぞれスイッチ状に一覧表示し、放射線技師が、例えば撮影を行い易い順番になるように、一覧表示された各撮影オーダ情報のスイッチの中から任意の各撮影オーダ情報を選択することができるように構成することが提案されている。【０００９】
特許文献５にも記載されているように、例えば、ある患者に対して「頚椎正面」、「頚椎側面」、「頚椎右後斜位」、「頚椎開口」の各撮影を行う場合、患者が起立した状態（すなわち立位）で撮影する「頚椎正面」、「頚椎側面」、「頚椎右後斜位」を撮影した後、患者が横臥した状態（すなわち臥位）で撮影する「頚椎開口」を撮影すれば（或いは逆の順番で撮影すれば）、撮影を効率良く行うことができる。【００１０】
そして、仮にコンソールの表示部上に一覧表示された各撮影オーダ情報の順番が「頚椎正面」、「頚椎開口」、「頚椎側面」、「頚椎右後斜位」の順であっても、特許文献５に記載の放射線画像撮影システムでは、例えば「頚椎正面」→「頚椎側面」→「頚椎右後斜位」の順で選択し、その後「頚椎開口」を選択することができるため、撮影を効率良く行うことが可能となる。
【先行技術文献】
【特許文献】
【００１１】
【特許文献１】特許第３８９０１６３号公報
【特許文献２】特開平９−７３１４４号公報
【特許文献３】特開２００６−０５８１２４号公報
【特許文献４】特開平６−３４２０９９号公報
【特許文献５】特開２０００−１６６９０８号公報
【発明の概要】
【発明が解決しようとする課題】
【００１２】
しかしながら、例えば、上記の一連の放射線画像撮影を行う前に他の患者に対して撮影を行う等して、放射線発生装置や放射線画像撮影装置が、既に臥位の状態で撮影を行うことができるようにセットアップされている場合がある。そのような場合、上記の一連の撮影を行う放射線技師がそのことを知っていれば、効率性を考えれば、放射線技師は、「頚椎開口」から撮影を始めるように選択する。【００１３】
一方、放射線技師がそのようにセットアップされていることを知らずに、立位で撮影を行う「頚椎正面」等を選択してしまうと、改めて放射線発生装置や放射線画像撮影装置を起動させたり、放射線発生装置の放射線源の位置や照射方向等を調整したり、或いは、可搬型の放射線画像撮影装置が臥位撮影用のブッキー装置に装填されている場合には改めて立位撮影用のブッキー装置に装填し直さなければならなくなる。【００１４】
しかし、これでは、放射線画像撮影システム全体として見た場合、撮影効率が低下してしまう。また、放射線技師等の操作者にとって、必ずしも使い勝手が良いシステムとは言えなくなる。【００１５】
本発明は、上記の点を鑑みてなされたものであり、放射線技師等の操作者の使い勝手が良く、しかも、放射線画像撮影を効率良く行うことが可能な放射線画像撮影システムを提供することを目的とする。
【課題を解決するための手段】
【００１７】
前記の問題を解決するために、本発明の放射線画像撮影システムは、
被写体に放射線を照射する放射線源と、
二次元状に配列された複数の放射線検出素子を備え、放射線の照射により前記各放射線検出素子内で発生した電荷を画像データとして読み出す可搬型放射線画像撮影装置と、
前記可搬型放射線画像撮影装置を装填可能なブッキー装置と、
少なくとも前記可搬型放射線画像撮影装置が前記ブッキー装置に装填されているか否かを管理し、かつ、前記可搬型放射線画像撮影装置を前記ブッキー装置に装填した状態で撮影を行うか否かの情報を含む複数の撮影オーダ情報を登録し、または、登録された前記複数の撮影オーダ情報を入手することが可能なコンソールと、
を備え、
前記コンソールは、
前記各撮影オーダ情報に対応するアイコンをそれぞれ表示可能な表示部を備え、
前記表示部に、前記各撮影オーダ情報に対応する前記各アイコンを、前記各撮影オーダ情報の所定の順番に表示させるとともに、
前記可搬型放射線画像撮影装置が前記ブッキー装置に装填されている場合には、前記所定の順番にかかわらず、当該ブッキー装置に前記可搬型放射線画像撮影装置を装填した状態で撮影を行うことを指定する情報を有する前記撮影オーダ情報に対応する前記アイコンを、他のアイコンとは異なる態様で表示し、
前記可搬型放射線画像撮影装置が前記ブッキー装置に装填されていない場合には、前記所定の順番にかかわらず、前記可搬型放射線画像撮影装置を前記ブッキー装置に装填しない状態で撮影を行うことを指定する情報を有する前記撮影オーダ情報に対応する前記アイコンを他のアイコンとは異なる態様で表示することを特徴とする。
【発明の効果】
【００１８】
本発明のような方式の放射線画像撮影システムによれば、コンソールは、複数の放射線画像撮影装置（専用機）の中に撮影可能な状態にある放射線画像撮影装置（専用機）が存在する場合や、可搬型放射線画像撮影装置がブッキー装置に装填されている場合には、表示部上に表示した各撮影オーダ情報に対応するアイコンの表示の順番にかかわらず、撮影可能な状態にある放射線画像撮影装置（専用機）を用いて撮影を行うことを指定する撮影オーダ情報や、ブッキー装置に可搬型放射線画像撮影装置を装填した状態で撮影を行うことを指定する撮影オーダ情報に対応するアイコンを、他のアイコンとは異なる態様で表示する。【００１９】
そのため、放射線技師等の操作者は、他のアイコンとは異なる態様で表示されたアイコンに対応する撮影オーダ情報に基づく撮影を行えば、新たに放射線画像撮影装置（専用機）を撮影可能な状態にしたり、可搬型放射線画像撮影装置のブッキー装置に対する装填状態を変更したりすることなく撮影を行うことが可能となる。そのため、放射線画像撮影システムが、操作者にとって使い勝手が良いものとなるとともに、放射線画像撮影を効率良く行うことが可能となる。
【図面の簡単な説明】
【００２０】
【図１】第１の実施形態に係る放射線画像撮影システムの全体構成を示す図である。
【図２】第１の実施形態に係る可搬型放射線画像撮影装置の外観斜視図である。
【図３】図２の可搬型放射線画像撮影装置を反対側から見た外観斜視図である。
【図４】図２におけるＡ−Ａ線に沿う断面図である。
【図５】可搬型放射線画像撮影装置の基板の構成を示す平面図である。
【図６】図５の基板上の小領域に形成された放射線検出素子とＴＦＴ等の構成を示す拡大図である。
【図７】ＣＯＦやＰＣＢ基板等が取り付けられた基板を説明する側面図である。
【図８】可搬型放射線画像撮影装置の等価回路を表すブロック図である。
【図９】カセッテ保持部の内部にコネクタが設けられたブッキー装置を説明する図である。
【図１０】可搬型放射線画像撮影装置のコネクタとブッキー装置のコネクタとが接続された状態を表す外観斜視図である。
【図１１】可搬型放射線画像撮影装置がクレードルに挿入され、コネクタ同士が接続された状態を表す断面図である。
【図１２】検知手段としてタグリーダを備える構成を示す図である。
【図１３】撮影オーダ情報の一例を示す図である。
【図１４】撮影オーダ情報を表示する選択画面の一例を示す図である。
【図１５】各撮影オーダ情報に対応する各アイコン等を表示する画面の一例を示す図である。
【図１６】可搬型放射線画像撮影装置やＣＲカセッテを選択させる選択画面の一例を示す図である。
【図１７】第１の実施形態で撮影室内に可搬型放射線画像撮影装置が１つだけ存在する場合にコンソールの表示部に表示される選択画面の一例を示す図である。
【図１８】図１７の選択画面ではアイコンＩ２がフォーカスされることを説明する図である。
【図１９】図１８の場合にアイコンＩ２に代えてプレビュー画像が表示されること等を説明する図である。
【図２０】図１９の場合にプレビュー画像が表示されていた位置に生成された放射線画像が表示されること等を説明する図である。
【図２１】図１９に示した状態から続いてアイコンＩ３が選択されてフォーカスされることを説明する図である。
【図２２】第２の実施形態で撮影室内に可搬型放射線画像撮影装置が複数存在する場合にコンソールの表示部に表示される選択画面の一例を示す図である。
【図２３】撮影を行うことが可能な撮影オーダ情報が複数存在する場合にそれぞれ対応する複数のアイコンがそれぞれフォーカスして表示されること等を説明する図である。
【図２４】医用画像システムの全体構成を示す図である。
【図２５】図２４の医用画像システムを構成する放射線画像撮影システムの構成例を示す図である。
【図２６】複数の撮影室と複数のコンソールとが所定の接続の仕方で接続されて構成された放射線画像撮影システムの例を示す図である。
【図２７】複数の撮影室と複数のコンソールとがそれぞれネットワークを介して接続されて構成された放射線画像撮影システムの例を示す図である。
【図２８】各アイコンが表示されていた位置に各アイコンに対応する各医用画像がそれぞれ表示された状態を示す図である。
【図２９】デフォルトの状態で定められているコンソールから読影用画像管理装置への一連の医用画像の送信順のテーブルの例を示す図である。
【図３０】図２９のテーブルの最下段に撮影部位や撮影条件を追加して修正された送信順の履歴テーブルの例を示す図である。
【図３１】画像表示装置等での順番の変更に伴って修正された送信順の履歴テーブルの例を示す図である。
【図３２】表示手段の画面上に表示される送信プレビュー画面の例および順に並べて表示された各医用画像の例を示す図である。
【図３３】図３２の送信プレビュー画面で「ＮＧ」ボタンがクリックされた場合に各医用画像の下方に表示される各医用画像を示す図である。
【図３４】図３３の送信プレビュー画面の下方に表示された各医用画像の表示順を変更できることを示す図である。
【図３５】図３４の送信プレビュー画面の「決定」ボタンをクリックすると各医用画像が変更された表示順で表示されることを示す図である。
【発明を実施するための形態】
【００２１】
以下、本発明に係る放射線画像撮影システムの実施の形態について、図面を参照して説明する。ただし、本発明は以下の図示例のものに限定されるものではない。
【００２２】
［第１の実施の形態］
図１は、本発明の第１の実施形態に係る放射線画像撮影システムの全体構成を示す図である。
【００２３】
撮影室Ｒａは、患者の身体の一部である被写体（すなわち患者の撮影部位）に放射線を照射して放射線画像撮影を行う部屋であり、被写体に放射線を照射するための放射線照射装置の放射線発生装置５７の放射線源５２等が配置されている。なお、撮影室Ｒａは、放射線が撮影室外に漏洩しないように鉛などでシールドされている。
【００２４】
本実施形態では、放射線画像撮影装置として、以下で説明するような可搬型放射線画像撮影装置１が用いられるようになっており、撮影室Ｒａには、可搬型放射線画像撮影装置１を装填可能なブッキー装置５１が設けられている。なお、ブッキー装置５１や放射線源５２等については、後で説明する。
【００２５】
ここで、まず、放射線画像撮影システム５０で放射線画像撮影に用いられる可搬型放射線画像撮影装置１について説明する。
【００２６】
なお、以下、可搬型放射線画像撮影装置を単に放射線画像撮影装置と表す。また、以下では、放射線画像撮影装置１として、シンチレータ等を備え、放射された放射線を可視光等の他の波長の電磁波に変換して電気信号を得るいわゆる間接型の放射線画像撮影装置について説明するが、本発明は、シンチレータ等を介さずに放射線を放射線検出素子で直接検出する、いわゆる直接型の放射線画像撮影装置に対しても適用することができる。
【００２７】
図２は、本実施形態に係る放射線画像撮影装置の外観斜視図であり、図３は、放射線画像撮影装置を反対側から見た外観斜視図である。また、図４は、図２のＡ−Ａ線に沿う断面図である。放射線画像撮影装置１は、図２〜図４に示すように、筐体状のハウジング２内にシンチレータ３や基板４等で構成されるセンサパネルＳＰが収納されている。
【００２８】
図２や図３に示すように、本実施形態では、筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。なお、筐体２をこのようないわゆるモノコック型として形成する代わりに、例えば、フレーム板とバック板とで形成された、いわゆる弁当箱型とすることも可能である。
【００２９】
図２に示すように、筐体２の一方側の蓋部材２Ｂには、電源スイッチ３７や選択スイッチ３８、コネクタ３９、バッテリ状態や放射線画像撮影装置１の稼働状態等を表示するＬＥＤ等で構成されたインジケータ４０等が配置されている。
【００３０】
また、図３に示すように、筐体２の反対側の蓋部材２Ｃには、画像データ等をコンソール５８に無線で転送するための通信手段であるアンテナ装置４１が埋め込まれている。なお、画像データ等をコンソール５８に有線方式で転送するように構成することも可能であり、その場合、例えば、前述したコネクタ３９にケーブル等を接続して送受信するように構成される。また、アンテナ装置４１を設ける場合には、アンテナ装置４１の筐体２上の配置場所や配置する個数は適宜決められる。
【００３１】
筐体２の内部には、図４に示すように、センサパネルＳＰの基板４の下方側に図示しない鉛の薄板等を介して基台３１が配置され、基台３１には、電子部品３２等が配設されたＰＣＢ基板３３や緩衝部材３４等が取り付けられている。
【００３２】
なお、本実施形態では、基板４やシンチレータ３の放射線入射面Ｒ側には、それらを保護するためのガラス基板３５が配設されている。また、本実施形態では、センサパネルＳＰと筐体２の側面との間に、それらがぶつかり合うことを防止するための緩衝材３６が設けられている。
【００３３】
シンチレータ３は、基板４の後述する検出部Ｐに貼り合わされるようになっている。本実施形態では、シンチレータ３は、例えば、蛍光体を主成分とし、放射線の入射を受けると３００〜８００ｎｍの波長の電磁波、すなわち可視光を中心とした電磁波に変換して出力するものが用いられる。
【００３４】
基板４は、本実施形態では、ガラス基板で構成されており、図５に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００３５】
このように、走査線５と信号線６で区画された各小領域ｒに二次元状に配列された複数の放射線検出素子７が設けられた領域ｒ全体、すなわち図５に一点鎖線で示される領域が検出部Ｐとされている。
【００３６】
本実施形態では、放射線検出素子７としてフォトダイオードが用いられているが、この他にも例えばフォトトランジスタ等を用いることも可能である。各放射線検出素子７は、図５の拡大図である図６に示すように、スイッチ手段であるＴＦＴ８のソース電極８ｓに接続されている。また、ＴＦＴ８のドレイン電極８ｄは信号線６に接続されている。
【００３７】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を保持するようになっている。
【００３８】
本実施形態では、図６に示すように、列状に配置された複数の放射線検出素子７にそれぞれバイアス線９が接続されており、図５に示すように、各バイアス線９は、基板４の検出部Ｐの外側の位置で１本の結線１０に結束されている。
【００３９】
また、各走査線５や各信号線６、バイアス線９の結線１０は、それぞれ基板４の端縁部付近に設けられた入出力端子（パッドともいう）１１に接続されている。各入出力端子１１には、図７に示すように、ＩＣ１２ａ等のチップがフィルム上に組み込まれたＣＯＦ（Chip On Film）１２が異方性導電接着フィルム（Anisotropic Conductive Film）や異方性導電ペースト（Anisotropic Conductive Paste）等の異方性導電性接着材料１３を介して接続されている。
【００４０】
また、ＣＯＦ１２は、基板４の裏面４ｂ側に引き回され、裏面４ｂ側で前述したＰＣＢ基板３３に接続されるようになっている。このようにして、放射線画像撮影装置１のセンサパネルＳＰの基板４部分が形成されている。なお、図７では、電子部品３２等の図示が省略されている。
【００４１】
ここで、図８を用いて放射線画像撮影装置１の回路構成について説明する。
【００４２】
各放射線検出素子７の一方の電極にはそれぞれバイアス線９が接続されており、各バイアス線９は結線１０に結束されてバイアス電源１４に接続されている。バイアス電源１４は、結線１０および各バイアス線９を介して各放射線検出素子７の電極にそれぞれバイアス電圧（本実施形態では逆バイアス電圧）を印加するようになっている。
【００４３】
また、各放射線検出素子７の他方の電極はＴＦＴ８のソース電極８ｓ（図８中ではＳと表記されている。）に接続されており、各ＴＦＴ８のゲート電極８ｇ（図８中ではＧと表記されている。）は、走査駆動手段１５のゲートドライバ１５ｂから延びる走査線５の各ラインＬ１〜Ｌｘにそれぞれ接続されている。また、各ＴＦＴ８のドレイン電極８ｄ（図８中ではＤと表記されている。）は各信号線６にそれぞれ接続されている。
【００４４】
走査駆動手段１５は、ゲートドライバ１５ｂにオン電圧やオフ電圧を供給する電源回路１５ａと、走査線５の各ラインＬ１〜Ｌｘに印加する電圧をオン電圧とオフ電圧の間で切り替えるゲートドライバ１５ｂとを備えている。ゲートドライバ１５ｂは、前述したように、走査線５の各ラインＬ１〜Ｌｘを介してＴＦＴ８のゲート電極８ｇに印加する電圧をオン電圧とオフ電圧との間で切り替えて、各ＴＦＴ８のオン状態とオフ状態とを制御するようになっている。
【００４５】
また、各信号線６は、読み出しＩＣ１６内に形成された各読み出し回路１７にそれぞれ接続されている。読み出し回路１７は、増幅回路１８と、相関二重サンプリング（Correlated Double Sampling）回路１９と、アナログマルチプレクサ２１と、Ａ／Ｄ変換器２０とで構成されている。
【００４６】
例えば、放射線画像撮影の際に、被写体を介して放射線画像撮影装置１に放射線が照射されると、シンチレータ３で放射線が他の波長の電磁波に変換され、変換された電磁波がその直下の放射線検出素子７に照射される。そして、照射された放射線の線量（すなわち電磁波の光量）に応じて放射線検出素子７内で電荷が発生する。
【００４７】
各放射線検出素子７からの画像データの読み出し処理においては、走査駆動手段１５のゲートドライバ１５ｂから走査線５の所定のラインＬｎにオン電圧が印加されると、走査線５の当該ラインＬｎを介してそれに接続されている各ＴＦＴ８のゲート電極８ｇにオン電圧が印加されて各ＴＦＴ８がオン状態となり、オン状態となった各ＴＦＴ８と接続されている放射線検出素子７から各ＴＦＴ８を介して信号線６に電荷が放出される。
【００４８】
そして、放射線検出素子７から放出された電荷量に応じて増幅回路１８から電圧値が出力され、それを相関二重サンプリング回路１９で相関二重サンプリングしてアナログ値の画像データＤがマルチプレクサ２１に出力される。マルチプレクサ２１から順次出力された画像データＤは、Ａ／Ｄ変換器２０で順次デジタル値の画像データＤに変換され、記憶手段２３に出力されて順次保存されるようになっている。
【００４９】
制御手段２２は、ＣＰＵ（Central Processing Unit）やＲＯＭ（Read Only Memory）、ＲＡＭ（Random Access Memory）、入出力インターフェース等がバスに接続されたコンピュータや、ＦＰＧＡ（Field Programmable Gate Array）等により構成されている。専用の制御回路で構成されていてもよい。
【００５０】
制御手段２２は、放射線画像撮影装置１の走査駆動手段１５や読み出し回路１７等の各機能部の動作等を制御するようになっている。制御手段２２には、ＤＲＡＭ（Dynamic ＲＡＭ）等で構成される記憶手段２３や、放射線画像撮影装置１の各機能部に電力を供給するバッテリ２４が接続されている。また、制御手段２２には、前述したアンテナ装置４１が接続されている。
【００５１】
制御手段２２は、放射線画像撮影が行われると、上記のようにして、各放射線検出素子７から電荷すなわち画像データＤを読み出す読み出し処理を行うようになっている。また、本実施形態では、制御手段２２は、各放射線検出素子７から読み出して記憶手段２３に保存した各画像データＤに基づいて、各画像データＤを所定の割合で間引いてプレビュー用の間引きデータＤｔを作成するようになっている。
【００５２】
本実施形態では、制御手段２２は、放射線画像撮影が終了して各放射線検出素子７から画像データＤが読み出して記憶手段２３に保存すると、即座に間引きデータＤｔを作成するようになっている。そして、間引きデータＤｔを作成すると、すぐに間引きデータＤｔに放射線画像撮影装置１の識別情報であるカセッテＩＤを付与して、後述するコンソール５８に送信するようになっている。この間引きデータＤｔの送信は、放射線画像撮影ごとに行われる。
【００５３】
なお、本実施形態では、後述するように、放射線画像撮影装置１がブッキー装置５１に装填されておらず単独で用いられている場合（すなわちコネクタ３９（図２参照）に何も接続されていない場合）は、制御手段２２は、アンテナ装置４１を介して無線方式で間引きデータＤｔや画像データＤ、後述するオフセット補正値Ｏ等をコンソール５８に送信し、また、放射線画像撮影装置１がブッキー装置５１に装填されて用いられている場合（すなわちコネクタ３９にブッキー装置５１のコネクタ５１ｂ（図９、図１０参照）が接続されている場合）は、制御手段２２は、ブッキー装置５１を介して有線方式で間引きデータＤｔ等をコンソール５８に送信するようになっている。
【００５４】
間引きデータＤｔは、例えば、二次元状に配列された各放射線検出素子７に対応して各画像データＤを配列した場合に３×３画素や４×４画素ごとに１画素分の画像データＤを抽出するようにして作成してもよく、或いは、走査線５の各ラインＬ１、Ｌ４、Ｌ７、…にそれぞれ接続された各放射線検出素子７からの画像データＤのように、走査線５の所定の間隔ごとの各ラインＬｎに接続された各放射線検出素子７からの画像データＤを抽出して作成するように構成することも可能である。
【００５５】
また、本実施形態では、制御手段２２は、間引きデータＤｔをコンソール５８に送信した後、当該間引きデータＤｔの作成の基となった対応する画像データＤにカセッテＩＤを付与して、コンソール５８に自動的に送信するようになっている。
【００５６】
なお、間引きデータＤｔを作成して送信する代わりに、最初から画像データＤを送信するように構成することも可能である。また、コンソール５８等からの送信指示があった時点で画像データＤを送信するように構成することも可能である。
【００５７】
また、画像データＤの送信の際、画像データＤのうち、既に送信済みの間引きデータＤｔ以外の画像データＤのみを送信するように構成することも可能である。この場合、コンソール５８は、既に受信している間引きデータＤｔと、新たに送信されてきたそれ以外の画像データＤとを合成して全画像データＤを復元する。
【００５８】
また、本実施形態では、制御手段２２は、１回の放射線画像撮影が終了するごとに、或いは、一連の放射線画像撮影が終了した時点で、これらの放射線画像撮影で得られた画像データＤに重畳されているオフセット分を補正するためのオフセット補正値Ｏを得るために、いわゆるダーク読取処理を自動的に行うようになっている。なお、単独或いは一連の放射線画像撮影が開始される前に、ダーク読取処理を行うように構成することも可能である。
【００５９】
ダーク読取処理では、放射線画像撮影装置１の各ＴＦＴ８をオフ状態とし、放射線画像撮影装置１に放射線が照射されない状態で所定時間放置した後、上記の読み出し処理と同様にして、各放射線検出素子７から、それらに蓄積された暗電荷等がいわゆるダーク読取値ｄとして読み出され、記憶手段２３に保存される。
【００６０】
そして、制御手段２２は、読み出した各放射線検出素子７ごとのダーク読取値ｄをオフセット補正値Ｏとしたり、或いは、ダーク読取処理を複数回行って、各放射線検出素子７ごとに得られた複数のダーク読取値ｄを平均化する等して、オフセット補正値Ｏを算出する。そして、オフセット補正値Ｏに放射線画像撮影装置１の識別情報であるカセッテＩＤを付与して、コンソール５８に自動的に送信するようになっている。
【００６１】
一方、本実施形態では、後述するように、放射線画像撮影装置１が撮影室Ｒａに持ち込まれると、検知手段である後述するクレードル５５に挿入されるようになっている。その際、制御手段２２は、放射線画像撮影装置１がクレードル５５に挿入された際に、コネクタ３９（図２参照）がクレードル５５のコネクタ５５ａ（後述する図１１参照）に接続されると、クレードル５５を介して後述する基地局５４（図１参照）に放射線画像撮影装置１の識別情報であるカセッテＩＤを通知するようになっている。
【００６２】
また、制御手段２２は、放射線技師等の操作者により選択手段である選択スイッチ３８（図２参照）が押下されると、自らの識別情報であるカセッテＩＤと、自らが選択されたことを示す選択信号とを、アンテナ装置４１を介してコンソール５８に送信するようになっている。
【００６３】
本実施形態では、後述するように、可搬型の放射線画像撮影装置１はＣＲカセッテと互換サイズを有しており、施設に既存の後述するブッキー装置５１への装填使用が可能となっている。
【００６４】
また、放射線画像撮影装置１は、ブッキー装置５１に装填されている場合には、ブッキー装置５１から電力の供給を受けるが、ブッキー装置５１に装填されていない単独の状態では、バッテリ２４（図８参照）から制御手段２２やバイアス電源１４、走査駆動手段１５、読み出し回路１７（読み出しＩＣ１６）等の各機能部に電力を供給するようになっている。なお、ブッキー装填時は、画像データ転送や制御用通信等はブッキー装置５１を介して有線で行われる。
【００６５】
なお、放射線画像撮影装置１は、後述するように、ブッキー装置５１に装填されている場合には、ブッキー装置５１から電力の供給を受けるが、ブッキー装置５１に装填されていない単独の状態では、バッテリ２４（図８参照）から制御手段２２やバイアス電源１４、走査駆動手段１５、読み出し回路１７（読み出しＩＣ１６）等の各機能部に電力を供給するようになっている。
【００６６】
そして、放射線画像撮影や画像データＤの読み出し処理等を行わない場合に、各機能部に電力を供給すると、バッテリ２４が消耗してしまうため、放射線画像撮影装置１は、各機能部に電力を供給して放射線画像撮影を行うことができる状態、すなわち撮影可能な状態とする撮影可能モードと、放射線画像撮影を行わないような場合に各機能部に電力を供給しないスリープモードとの間で、モードを切り替えることができるようになっている。
【００６７】
スリープモードでは、コンソール５８等からの信号を受信できるようにアンテナ装置４１や制御手段２２等の最小限起動していることが必要な機能部にのみ電力を供給し、バイアス電源１４や走査駆動手段１５、読み出し回路１７（読み出しＩＣ１６）等には電力を供給しないようになっている。
【００６８】
電源スイッチ３７（図２参照）が押下された場合に、放射線画像撮影装置１を撮影可能モードで立ち上げるかスリープモードで立ち上げるかは適宜設定されるとしても、少なくとも、選択スイッチ３８が押下された場合に、放射線画像撮影装置１がスリープモードになっている場合には、放射線画像撮影装置１のモードは撮影可能モードに切り替えられる。
【００６９】
また、放射線画像撮影装置１は、撮影可能モードに切り替えられた後、所定時間が経過しても放射線画像撮影が行われない場合は、所定時間が経過した時点で、モードを自動的にスリープモードに切り替えるようになっている。
【００７０】
そして、放射線画像撮影装置１は、モードが切り替わる際に、コンソール３８に、撮影可能モードになったことを表す信号、或いはスリープモードになったことを表す信号を、それぞれ自らのカセッテＩＤとともに送信するようになっている。
【００７１】
次に、放射線画像撮影システム５０における各装置等について説明する。
【００７２】
図１に示すように、ブッキー装置５１は、本実施形態では、カセッテ保持部（カセッテホルダともいう。）５１ａに可搬型の放射線画像撮影装置１を装填して用いることができるようになっている。
【００７３】
本実施形態では、図１に示すように、撮影室Ｒａには、ブッキー装置５１として立位撮影用のブッキー装置５１Ａと臥位撮影用のブッキー装置５１Ｂが設置されているが、例えば、立位撮影用のブッキー装置５１Ａのみ、或いは臥位撮影用のブッキー装置５１Ｂのみが設けられているような場合にも本発明は適用される。
【００７４】
また、本実施形態では、ブッキー装置５１は、カセッテ保持部５１ａに従来のＣＲカセッテを装填して用いることもできるように構成されており、撮影室ＲａにＣＲカセッテ用に設置されている既存のブッキー装置を用いることが可能である。
【００７５】
そのため、本実施形態では、前述した可搬型放射線画像撮影装置１が、ＣＲカセッテと同様の寸法になるように形成されている。
【００７６】
すなわち、ＣＲカセッテは、従来のスクリーンフィルム用のカセッテにおけるＪＩＳ規格サイズ（対応する国際規格はＩＥＣ  ６０４０６）に準拠して、１４インチ×１７インチ（半切サイズ）等の寸法で形成される。また、放射線入射方向の厚さは１５ｍｍ＋１ｍｍ〜１５ｍｍ−２ｍｍの範囲内になるように形成される。
【００７７】
そのため、本実施形態では、このＪＩＳ規格サイズのＣＲカセッテを装填することができるブッキー装置５１への装填使用を可能とするため、可搬型放射線画像撮影装置１も、ＣＲカセッテが準拠するスクリーンフィルム用のカセッテにおけるＪＩＳ規格に準拠した寸法で形成されている。
【００７８】
なお、スクリーン／フィルムカセッテやＣＲカセッテ用の既存のブッキー装置を用いない場合には、放射線画像撮影装置１を上記の寸法で形成する必要はなく、放射線画像撮影装置１を任意の大きさや形状に形成することが可能である。しかし、その際には、ブッキー装置５１として、任意に設定された形状の放射線画像撮影装置１を装填することができるブッキー装置を新たに撮影室Ｒａ内に設置することが必要となる。
【００７９】
一方、本実施形態では、図９に示すように、ブッキー装置５１のカセッテ保持部５１ａの内部には、装填された放射線画像撮影装置１のコネクタ３９（図２参照）と接続されるコネクタ５１ｂが設けられている。
【００８０】
なお、図９では、立位撮影用のブッキー装置５１Ａの場合が示されているが、臥位撮影用のブッキー装置５１Ｂにおいても同様である。また、このように、ブッキー装置５１のカセッテ保持部５１ａの内部にコネクタ５１ｂを設ける代わりに、図１０に示すように、放射線画像撮影装置１をブッキー装置５１に装填する前に、ブッキー装置５１から延びるケーブルの先端に設けられたコネクタ５１ｂを放射線画像撮影装置１のコネクタ３９に接続し、その状態で放射線画像撮影装置１をブッキー装置５１のカセッテ保持部５１ａに装填するように構成することも可能である。
【００８１】
本実施形態では、ブッキー装置５１は、コネクタ５１ｂと放射線画像撮影装置１のコネクタ３９とが接続されると、放射線画像撮影装置１からその識別情報であるカセッテＩＤを読み出し、放射線画像撮影装置１のカセッテＩＤと自らの識別情報であるブッキーＩＤとを対応付けて、コンソール５８に送信するようになっている。
【００８２】
また、前述したように、本実施形態では、ブッキー装置５１は、放射線画像撮影装置１がカセッテ保持部５１ａに装填されて用いられている場合には、放射線画像撮影装置１からコネクタ３９を介して出力される間引きデータＤｔや画像データＤ、オフセット補正値Ｏを後述する基地局５４に有線方式で伝送してコンソール５８に送信するようになっている。
【００８３】
さらに、本実施形態では、ブッキー装置５１のコネクタ５１ｂと放射線画像撮影装置１のコネクタ３９とが接続されることにより、ブッキー装置５１から放射線画像撮影装置１に電力を供給するようになっている。そのため、放射線画像撮影装置１の制御手段２２は、コネクタ３９、５１ｂ同士が接続されると、バッテリ２４（図８参照）からの各機能部への電力の供給を停止し、コネクタ３９を介してブッキー装置５１から供給される電力を各機能部に供給するように切り替えるようになっている。なお、各機能部に電力供給しながら、バッテリ２４が充電される構成とすることも可能である。
【００８４】
また、上記のように、本実施形態では、ブッキー装置５１は、カセッテ保持部５１ａに従来のＣＲカセッテを装填して用いることもできるように構成されており、図示を省略するが、ブッキー装置５１のカセッテ保持部５１ａには、ＣＲカセッテが装填される場合に、ＣＲカセッテの図示しないバーコードを光学的に読み取る読取手段であるバーコードリーダ等が設けられていることが好ましい。
【００８５】
そして、ブッキー装置５１は、バーコードリーダでＣＲカセッテのバーコードを読み取ると、読み取った情報の中からＣＲカセッテの識別情報であるバーコード情報を読み出し、ＣＲカセッテのバーコード情報と自らの識別情報であるブッキーＩＤとを対応付けて、コンソール５８に送信するようになっている。また、バーコード情報が送信されることによって、撮影がＣＲ方式で行われることが判り、Ｘ線発生装置の照射線量をＣＲ方式に対応するように（ＦＰＤ方式の撮影よりも照射線量を多くする）切替制御することが可能となる。また、撮影後に、ＣＲカセッテを別の場所に設置された複数のＣＲ読取装置のうちの１つに装填し、ＣＲ読取装置により読み取られたカセッテＩＤと画像データとをペアでサーバ等に送信せしめることにより、コンソールは、カセッテＩＤをキーとして当該読み取られた画像データを取得することができ、撮影オーダ情報と画像データとを対応付けることができる。
【００８６】
図１に示すように、撮影室Ｒａには、被写体に放射線を照射する放射線源５２が少なくとも１つ設けられており、本実施形態では、放射線源５２のうち、１つの放射線源５２Ａは、例えば撮影室Ｒａの天井からつり下げられて配置されるようになっており、撮影時にはコンソール５８からの指示に基づいて起動され、図示しない移動手段により所定の位置にまで移動されるようになっている。そして、放射線の照射方向を変えることで、立位撮影用のブッキー装置５１Ａや臥位撮影用のブッキー装置５１Ｂに装填された放射線画像撮影装置１に対して放射線を照射することができるようになっている。
【００８７】
また、本実施形態では、立位撮影用や臥位撮影用のブッキー装置５１Ａ、５１Ｂには対応付けられていないポータブルの放射線発生装置５２Ｂも設けられている。ポータブルの放射線発生装置５２Ｂは、撮影室Ｒａ内のいかなる場所にも持ち運びでき、任意の方向に放射線を照射できるようになっている。
【００８８】
そして、放射線画像撮影装置１を単独の状態（すなわちブッキー装置５１に装填しない状態）で被写体である患者の身体の部分にあてがったり、臥位撮影用のブッキー装置５１Ｂのテーブル（ベッド）や図示しない専用ベッドと患者の身体との間に差し込んだりした状態で、ポータブルの放射線発生装置５２Ｂを用いて、適切な距離や方向から放射線を照射することができるようになっている。
【００８９】
なお、本実施形態では、可搬型の放射線画像撮影装置１は、このように、ブッキー装置５１に装填されない単独の状態で放射線画像撮影に用いることができるようになっている。
【００９０】
放射線源５２は、Ｘ線管球を備えており、Ｘ線管球は、後述する放射線発生装置５７から所定の管電圧や管電流が供給されると、放射線発生装置５７から指定された照射時間だけ管電圧等に応じた線量の放射線を照射するようになっている。
【００９１】
前述したように、撮影室Ｒａは鉛などでシールドされているため、撮影室Ｒａ内で放射線画像撮影装置１からアンテナ装置４１を介して画像データＤ等の情報を送受信しようとしても、そのままでは送受信できない。そこで、本実施形態では、図１に示すように、放射線画像撮影装置１とコンソール５８とが無線通信する際に、これらの通信を中継する無線アンテナ５３を備えた基地局（無線アクセスポイント）５４が設けられている。
【００９２】
なお、前述したように、本実施形態では、ブッキー装置５１と基地局５４とはケーブル等で接続されており、放射線画像撮影装置１をブッキー装置５１に装填して用いる場合には、放射線画像撮影装置１から出力された間引きデータＤｔ等は、ブッキー装置５１や基地局５４等を介して有線方式でコンソール５８に送信される。
【００９３】
基地局５４には、クレードル５５が接続されている。図１１に示すように、撮影室Ｒａに持ち込まれた放射線画像撮影装置１が挿入されて、放射線画像撮影装置１のコネクタ３９とクレードル５５のコネクタ５５ａとが接続されると、前述したように放射線画像撮影装置１からカセッテＩＤが、クレードル５５を介して基地局５４に通知されるようになっている。そして、基地局５４は、クレードル５５から放射線画像撮影装置１のカセッテＩＤが送信されてくると、そのカセッテＩＤをコンソール５８に通知するようになっている。
【００９４】
なお、クレードル５５は、通常、放射線画像撮影装置１等を保管したり充電するために用いられるものであり、本実施形態においても、クレードル５５が充電等の機能を有するように構成することも可能である。さらに、図１１では、放射線画像撮影装置１を挿入する挿入口が２個設けられたクレードル５５が示されているが、挿入口は１個でもよく、或いは３個以上設けられていてもよい。
【００９５】
また、クレードル５５は撮影室Ｒａと前室Ｒｂのいずれに設置されてもよく、撮影室Ｒａに設置される場合には、放射線発生装置５２から照射される放射線が到達しない位置、すなわち、例えば撮影室Ｒａのコーナーの位置等に設置される。
【００９６】
一方、撮影室Ｒａや前室Ｒｂに持ち込まれた放射線画像撮影装置１を検知してコンソール５８にカセッテＩＤを通知する検知手段としては、本実施形態のようなクレードル５５を用いる代わりに、或いはグレードル５５と併用して、図１２に示すように、例えば前室Ｒｂの扉付近にタグリーダ６０を設けるように構成することも可能である。
【００９７】
この場合、予め、放射線画像撮影装置１内に、いわゆるＲＦＩＤ（Radio Frequency IDentification）タグ等の図示しないタグを内蔵させておき、タグに放射線画像撮影装置１のカセッテＩＤ等の固有情報を記憶させておく。
【００９８】
そして、放射線画像撮影装置１がタグリーダ６０の近傍を通過して撮影室Ｒａや前室Ｒｂに持ち込まれる際に、タグリーダ６０で放射線画像撮影装置１のタグからカセッテＩＤ等の情報を読み取り、そのカセッテＩＤをコンソール５８に通知するように構成することが可能である。
【００９９】
このように、検知手段としてタグリーダ６０を用いるように構成すれば、放射線画像撮影装置１の撮影室Ｒａ内への持ち込みおよび当該撮影室Ｒａからの持ち出しの両方を検知することが可能となり、好ましい。なお、この場合は、タグリーダ６０とクレードル５５とで少なくとも放射線画像撮影装置１の撮影室Ｒａ内への持ち込みをダブルチェックするように構成することも可能である。また、検知手段としてタグリーダ６０のみを用いる場合には、クレードル５５は例えば単に放射線画像撮影装置１の充電用等として用いられる。
【０１００】
図１に示すように、前室（操作室等ともいう。）Ｒｂには、放射線源５２に対して放射線の照射開始等を指示するための曝射スイッチ５６等を備えた放射線発生装置の操作卓５７が設けられている。
【０１０１】
また、本実施形態では、コンソール５８は前室Ｒｂに設けられており、図示しないＣＰＵやＲＯＭ、ＲＡＭ、入出力インターフェース等がバスに接続されたコンピュータ等で構成されている。ＲＯＭには所定のプログラムが格納されており、コンソール５８は、必要なプログラムを読み出してＲＡＭの作業領域に展開してプログラムに従って各種処理を実行するようになっている。
【０１０２】
コンソール５８には、ＣＲＴ（Cathode Ray Tube）やＬＣＤ（Liquid Crystal Display）等からなる表示部５８ａが設けられており、その他、キーボードやマウス等の図示しない入力手段等が接続されている。また、コンソール５８には、ハードディスク等で構成された記憶手段５９が接続されており、その他、図示を省略するが、他のコンピュータや、コンソール５８から出力された画像データに基づいて放射線画像をフィルムなどの画像記録媒体に記録して出力するイメージャ等の外部機器が、ＬＡＮ（Local Area Network）等を介して接続されている。
【０１０３】
コンソール５８は、前述したように、撮影室Ｒａに持ち込まれた放射線画像撮影装置１が挿入されて、放射線画像撮影装置１のカセッテＩＤ等がクレードル５５や基地局５４を介して送信されてくると、そのカセッテＩＤを記憶手段５９に保存して、そのカセッテＩＤを有する放射線画像撮影装置１が撮影室Ｒａ或いは前室Ｒｂ内に持ち込まれたことを認識して管理するようになっている。
【０１０４】
また、コンソール５８は、前述したように、放射線画像撮影装置１から撮影可能モードになったことを表す信号がカセッテＩＤとともに送信されてくると、記憶手段５９に保存されている当該カセッテＩＤに対応付けられて保存されているモードを表す情報が撮影可能モードを表す情報である場合はそのままとし、保存されているモードを表す情報がスリープモードを表す情報である場合は、カセッテＩＤに、撮影可能モードを表す情報を新たに対応付けて上書き保存する。
【０１０５】
また、放射線画像撮影装置１からスリープモードになったことを表す信号がカセッテＩＤとともに送信されてきた場合には、記憶手段５９に保存されている当該カセッテＩＤに対応付けられて保存されているモードを表す情報がスリープモードを表す情報である場合はそのままとし、保存されているモードを表す情報が撮影可能モードを表す情報である場合は、カセッテＩＤに、スリープモードを表す情報を新たに対応付けて上書き保存する。
【０１０６】
このようにして、コンソール５８は、放射線画像撮影装置１が、現在、撮影可能モードとスリープモードとのいずれのモードにあるかを認識して管理するようになっている。
【０１０７】
さらに、コンソール５８は、前述したように、放射線画像撮影装置１がコネクタ５１ｂと接続されたブッキー装置５１から、放射線画像撮影装置１のカセッテＩＤとブッキーＩＤとが送信されてくると、記憶手段５９に保存されている当該カセッテＩＤに、ブッキーＩＤを対応付けて保存するようになっている。
【０１０８】
また、ブッキー装置５１にＣＲカセッテが装填されて、ブッキー装置５１からＣＲカセッテのバーコード情報とブッキーＩＤとが送信されてくると、そのバーコード情報とブッキーＩＤとを対応付けて記憶手段５９に保存するようになっている。
【０１０９】
また、放射線画像撮影装置１とコネクタ５１ｂとの接続が解除された場合には、記憶手段５９に保存されている当該放射線画像撮影装置１のカセッテＩＤとブッキーＩＤとの対応付けを解除して、カセッテＩＤのみを保存するようになっている。
【０１１０】
このようにして、コンソール５８は、放射線画像撮影装置１が、ブッキー装置５１に装填されて用いられる場合には、どの放射線画像撮影装置１がどのブッキー装置５１に装填されているか、或いは装填されていないかを認識して管理するようになっている。また、ＣＲカセッテがブッキー装置５１に装填された場合には、どのＣＲカセッテがどのブッキー装置５１に装填されているかを認識して管理するようになっている。
【０１１１】
一方、ＨＩＳ（Hospital Information System）やＲＩＳ（Radiology Information System）では、予め個々の患者に対して所定の放射線画像撮影を行うために必要な情報が設定された撮影オーダ情報を登録することができるようになっている。
【０１１２】
撮影オーダ情報は、例えば図１３に例示するように、患者情報としての「患者ＩＤ」Ｐ２、「患者氏名」Ｐ３、「性別」Ｐ４、「年齢」Ｐ５、「診療科」Ｐ６、および撮影条件としての「撮影部位」Ｐ７、「撮影方向」Ｐ８等で構成されるようになっており、本実施形態では、さらに放射線画像撮影装置１をブッキー装置５１に装填した状態で撮影を行うか否かの情報として「ブッキーＩＤ」Ｐ９の項目が設けられており、ブッキー装置５１に装填する場合にはそのブッキーＩＤを記載するようになっている。
【０１１３】
図１３に示した例で、ブッキーＩＤ「００１」、「００２」はそれぞれ立位撮影用のブッキー装置５１Ａおよび臥位撮影用のブッキー装置５１Ｂを表し、ブッキーＩＤ「００３」は、放射線画像撮影装置１をブッキー装置５１に装填せずに単独の状態で用いることを表す。なお、放射線画像撮影装置１をブッキー装置５１に装填せずに単独の状態で用いる場合をブッキーＩＤ「００３」とするのは、放射線画像撮影装置１を単独の状態で用いる場合にブッキーＩＤを空欄とすると、記入忘れとの区別がつかないためであるから、放射線画像撮影装置１を単独の状態で用いることを表すものであれば、他の表示方法を採用することも可能であり、適宜決められる。なお、ブッキーＩＤに替えて、立位ブッキー、臥位ブッキー、単独使用、を表す３種のアイコンを用意し、一のアイコンを各撮影オーダに対応付けて表示するように構成することも可能である。このように構成すると、技師等は撮影前にどの撮影装置を使用すべきかが視認し易く、間違いが生じ難い。
【０１１４】
そして、撮影オーダが登録された順に、各撮影オーダ情報に対して「撮影オーダＩＤ」Ｐ１が自動的に割り当てられるようになっている。
【０１１５】
なお、撮影オーダ情報に書き込む患者情報や撮影条件の内容は、上記のものに限定されず、例えば、患者の生年月日、診察回数、放射線の線量、太っているか痩せているか等の情報を含むように構成することも可能である。また、以下では、一の患者に対して複数の撮影オーダ情報が登録されている場合について説明する。
【０１１６】
コンソール５８は、放射線技師等の操作者の操作により、各撮影オーダ情報がコンソール５８自体に登録されている場合には、各撮影オーダ情報が記憶されている記憶手段５９にアクセスし、各撮影オーダ情報がＲＩＳやＨＩＳに登録されている場合には、ＲＩＳやＨＩＳから必要な各撮影オーダ情報を入手するようになっている。
【０１１７】
この場合、例えば、操作者がコンソール５８にこれから撮影を行う患者の氏名や患者ＩＤ等を入力したり、患者が持参した撮影依頼書に記載されているバーコードを読取装置で読み取ってコンソール５８に入力したり、或いは、撮影オーダ情報で撮影日が指定されている場合にはコンソール５８に撮影日を入力するなど、適宜の方法で必要な撮影オーダ情報を記憶手段５９や他のコンピュータから入手する。
【０１１８】
そして、コンソール５８は、撮影オーダ情報を入手すると、コンソール５８の表示部５８ａに、図１４に示すように、各撮影オーダ情報の一覧を選択画面Ｈ１として表示するようになっている。
【０１１９】
本実施形態では、選択画面Ｈ１には、各撮影オーダ情報の一覧を表示するための撮影オーダ情報表示欄ｈ１１が設けられており、撮影オーダ情報表示欄ｈ１１の左側には、撮影する予定の撮影オーダ情報を選択するための選択ボタンｈ１２が各撮影オーダ情報に対応して設けられている。また、撮影オーダ情報表示欄ｈ１１の下側には、決定ボタンｈ１３及び戻るボタンｈ１４が設けられている。
【０１２０】
そして、例えば、操作者が選択ボタンｈ１２をクリックして、例えば患者「Ａ」に関する４つの撮影オーダ情報を選択して、決定ボタンｈ１３をクリックすると、コンソール５８は、表示部５８ａ上に、図１５に示すような画面Ｈ２を表示するようになっている。
【０１２１】
すなわち、コンソール５８は、表示部５８ａ上に、選択された各撮影オーダ情報に対応するアイコンＩ１〜Ｉ４を、例えば撮影オーダＩＤ（図１４等のＰ１参照）が小さい順に、すなわち登録順に表示するようになっている。
【０１２２】
なお、登録順を基本とするが、施設内で予め定められたルール、例えば、頭部から踵にわたる一連の部位を撮影するような場合には、上（頭部）から下（踵）、または、下（踵）から上（頭部）という順に並べ替えたり、手脚等に対し左右両方の部位の撮影オーダがある場合、左右の取り違え防止のため、左から先に撮影、或いは右から先に撮影、という条件に基づき、並べ替えるようにしてもよい。
【０１２３】
また、図１５では、各アイコンＩ１〜Ｉ４を、画面Ｈ２上で左右方向に左側から並べて表示する場合が示されているが、これに限定されず、例えば、各アイコンＩ１〜Ｉ４を上下方向に上側から並べるように構成することも可能であり、各アイコンＩ１〜Ｉ４の表示の仕方は適宜設定される。
【０１２４】
さらに、アイコンＩ１〜Ｉ４は、登録された順番に並べられるが、この他にも、例えば、選択された各撮影オーダ情報の中に、患者ＩＤ（図１４等のＰ３参照）が異なるものや診療科（Ｐ６参照）が異なるものが含まれる場合には、登録順にかかわらず、同じ患者や診療科の撮影オーダ情報に対応するアイコンＩが隣り合うように表示するように構成することも可能である。
【０１２５】
なお、後述するように、本実施形態では、最も単純なケースとして、撮影室Ｒａ内に放射線画像撮影装置１が１つだけ持ち込まれた場合について説明するが、その前に、コンソール５８の表示部５８ａ上に表示されるアイコンＩについて説明する。説明の都合上、一般的なケースとして、撮影室Ｒａ内に複数の放射線画像撮影装置１が既に持ち込まれ、持ち込まれたうちの少なくとも１つの放射線画像撮影装置１はブッキー装置に既に装填されているものとして説明する。
【０１２６】
本実施形態では、図１５に示すように、アイコンＩ１〜Ｉ４には、それぞれ「ＫＭ−０００１」等の撮影番号や、「腹部正面Ｐ→Ａ」等の撮影部位（Ｐ７）や撮影方向（Ｐ８）、「臥位」等のブッキー装置５１の使用の有無や使用するブッキー装置５１の種類等が表示されるようになっている。
【０１２７】
また、図１５の例では、臥位撮影用のブッキー装置５１を使用する撮影オーダＩＤ「００１」の撮影オーダ情報（図１４等参照）に対応するアイコンＩ１には、アイコンＩ１中の表示部分Ｉａに横長の四角が表示され、立位撮影用のブッキー装置５１を使用する撮影オーダＩＤ「００２」、「００３」の各撮影オーダ情報に対応するアイコンＩ２、Ｉ３には、アイコンＩ１中の表示部分Ｉａに縦長の四角が表示される。また、ブッキー装置５１を使用しない撮影オーダＩＤ「００４」の撮影オーダ情報に対応するアイコンＩ４には、アイコンＩ１中の表示部分Ｉａに放射線画像撮影装置１の斜視図状の図形が表示される。
【０１２８】
なお、アイコンＩ中の表示部分Ｉａに、立位撮影用または臥位撮影用のブッキー装置５１を使用すること、或いは放射線画像撮影装置１を単独の状態で使用することを表示する際に、上記のような四角や斜視図状の図形ではなく、放射線技師等がより分かり易い表示とする等の措置が適宜採られることは前述した通りである。
【０１２９】
本実施形態では、コンソール５８は、アイコンＩ１〜Ｉ４を表示する際、記憶手段５９に保存されているカセッテＩＤに対応付けられているブッキーＩＤを参照して、図１５に示すように、ブッキー装置５１を使用する撮影オーダ情報のアイコンＩの表示部分Ｉｂに、当該ブッキー装置５１に現在装填されている放射線画像撮影装置１のカセッテＩＤや放射線画像撮影装置１のサイズ、解像度等を表示するようになっている。
【０１３０】
また、例えば各アイコンＩ１〜Ｉ４に設定されているブッキー装置５１とは異なるブッキー装置５１を用いるように変更する場合や、ブッキー装置５１を用いずに放射線画像撮影装置１が単独の状態で撮影したい場合（或いはその逆の場合）には、例えば、画面Ｈ２上でカーソルを該当するアイコンＩ中の「立位」や「臥位」の表示部分Ｉａに移動させて、マウスを右クリックするとポップアップ表示するように構成し、ウインドウ内に記載されているブッキー装置５１、或いはブッキー装置５１を使用しないという項目を選択して変更するように構成することも可能である。
【０１３１】
さらに、例えば各アイコンＩ１〜Ｉ４に設定されている放射線画像撮影装置１を変更する場合には、例えば、画面Ｈ２上でカーソルを該当するアイコンＩ中の表示部分Ｉｂに移動させて、マウスを右クリックすることで、例えば図１６に示すような選択画面Ｈ３を表示させ、各種の放射線画像撮影装置１を表す各アイコン群の中から変更先の放射線画像撮影装置１を適宜選択して変更するように構成することも可能である。
【０１３２】
また、例えば各アイコンＩ１〜Ｉ４に設定されている放射線画像撮影装置１のいずれかをＣＲカセッテに変更する場合には、例えば、同様に操作して図１６に示したような選択画面Ｈ３を表示させ、例えば「ＣＲ」と表示されたアイコンをクリックして変更するように構成することも可能である。
【０１３３】
この方式では、個々のブッキー装置５１にＣＲカセッテ識別情報読取手段（バーコードリーダー）が設けられていなくても運用可能となり、好ましい。放射線技師等の操作者は、コンソール５８が設けられた前室Ｒｂにおいて、所望の撮影オーダ情報を放射線画像撮影装置方式（ＦＰＤ方式）からＣＲ方式への変更することができる。また、所望の撮影オーダ情報が選択された状態で、コンソール５８に設けられたＣＲカセッテ識別情報読取手段（バーコードリーダー）を用いてＣＲカセッテの識別情報を入力すると、自動的にＦＰＤ方式からＣＲ方式への変更を行うこととしてもよい。
【０１３４】
また、ＣＲカセッテの読取装置がコンソール５８と１：１で接続されている場合には、読取画像データはカセッテ装填ごとにコンソール５８に送信されるため、選択画面Ｈ３でのＣＲへの切替操作のみを行い、ＣＲカセッテ識別情報入力を廃止することができる。
【０１３５】
なお、前室Ｒｂのコンソール５８上でＦＰＤからＣＲへの変更操作を行った場合、実際の撮影に誤って放射線画像撮影装置１を使用してしまうと、コンソール５８から放射線画像撮影装置１には放射線照射同期信号は送信されないので、放射線画像撮影装置１は基本的には読取動作を行わないが、放射線画像撮影装置１自身が放射線照射検知手段を有している場合には、読取動作を行うこととなる。
【０１３６】
この場合、照射線量がＣＲ用の設定となっているので、全般的には線量過多となってしまうが、アナログフィルムとは異なり、画像処理で救済可能な場合も想定される。従って、このような場合には、放射線画像撮影装置１から送信された画像データをコンソール５８上で撮影オーダ情報とは対応付けずに一時的に保存しておき、階調処理条件等を修正し、診断提供可能と判断された場合には、当該再画像処理済画像データを撮影オーダ情報と対応付けることが可能であることが好ましい。再画像処理しても診断使用不可の場合には、再撮影モードとされる。
【０１３７】
そして、上記のように使用するブッキー装置５１を変更したり、ブッキー装置５１を使用しないように或いはブッキー装置５１を使用するように変更したり、使用する放射線画像撮影装置１を変更したり、放射線画像撮影装置１をＣＲカセッテに変更したりすると、変更したアイコンＩ１〜Ｉ４中の表示が変更した内容に切り替わる。
【０１３８】
なお、上記のように変更する場合、例えば、操作者が、変更後のブッキー装置５１や放射線画像撮影装置１、或いはＣＲカセッテを用いずに撮影を行おうとした場合に、音声等で警告を発するように構成することも可能であり、適切な装置を用い、或いは適切な条件で撮影が行われるようにするための措置が適宜とられる。
【０１３９】
また、図１５で各アイコンＩ１〜Ｉ４の下に表示されている、処理の進行度を表すゲージＧについては、後で説明する。
【０１４０】
次に、上記のような構成の下での、コンソール５８の表示部５８ａにおける各アイコンＩ１〜Ｉ４の表示のさせ方等について詳しく説明する。また、本実施形態に係る放射線画像撮影システム５０の作用についても説明する。
【０１４１】
なお、前述したように、本実施形態では、最も単純なケースとして、撮影室Ｒａ内に可搬型の放射線画像撮影装置１が１つだけ持ち込まれた場合について説明する。従って、本実施形態のこれ以降の説明では、撮影室Ｒａ内に可搬型の放射線画像撮影装置１が１つだけ存在することが前提となる。
【０１４２】
また、以下では、この放射線画像撮影装置１が、既に立位撮影用のブッキー装置５１Ａに装填されている場合について説明する。そのため、この場合、コンソール５８の画面Ｈ２には、図１７に示すような各アイコンＩ１〜Ｉ４が表示される。
【０１４３】
従って、この場合、アイコンＩ中の「ＦＰＤ」の表示部分Ｉｂでマウスを右クリックしても、図１６に示した選択画面Ｈ３には、「ＦＰＤ−００１」の放射線画像撮影装置１しか表示されない。
【０１４４】
本発明では、コンソール５８は、上記のように表示部５８ａ上に表示した各撮影オーダ情報に対応する各アイコンＩ１〜Ｉ４の中から、自動的に１つのアイコンＩを選択して、選択したアイコンＩを他のアイコンＩとは異なる態様で表示するようになっている。
【０１４５】
なお、以下では、あるアイコンＩを他のアイコンＩと異なる態様で表示することを、当該アイコンＩをフォーカスすると略して表現する。また、フォーカスされたアイコンＩを図示する場合には、当該アイコンＩに斜線を付して示す。
【０１４６】
アイコンＩのフォーカスの仕方としては、例えば、基本的にはアイコンＩを青や黒等の画面Ｈ２の地の色に近い色で着色して表示し、あるアイコンＩをフォーカスして表示する場合、そのアイコンＩだけを赤色や黄色等に着色して表示するように構成することができる。また、その他、フォーカスするアイコンＩを他のアイコンＩとは異なる形状で表示したり、フォーカスするアイコンＩを点滅させたり、或いは、フォーカスするアイコンＩの画面Ｈ２上での表示位置を変えたり、ズームアップする等して表示するように構成することも可能である。
【０１４７】
本発明では、コンソール５８がアイコンＩを自動的に選択する場合、以下の基準に従ってアイコンＩを選択してフォーカスするようになっている。
【０１４８】
［基準１］
各放射線画像撮影装置１のモードやブッキー装置５１に対する装填状態、各放射線源５２の起動および配置状態、放射線源５２Ａ（図１参照）の位置や向き等の、それぞれの現在の状態を変えないで撮影を行うことができ、或いは、変更の程度が最も少ない状態で撮影を行うことができる撮影条件が指定された撮影オーダ情報に対応するアイコンＩを選択してフォーカスする。
【０１４９】
そのため、コンソール５８がフォーカスしたアイコンＩに対応する撮影オーダ情報に基づいて操作者が撮影を行えば、放射線画像撮影装置１をブッキー装置５１に装填したり、ブッキー装置５１に装填された放射線画像撮影装置１を他のブッキー装置５１に装填し直したりする動作を行うことなく、或いは、最小限の動作を行うだけで撮影を行うことが可能となり、撮影を速やかに行うことが可能となるといった効果がある。
【０１５０】
この基準１の詳細は、放射線画像撮影システム５０の構成や各装置の性能等によって適宜設定される。放射線画像撮影装置１や放射線画像撮影システム５０が上記のように構成されている場合、例えば、以下の［１−１］、［１−２］に示す詳細な基準に従って、該当するアイコンＩが自動選択される。
【０１５１】
［１−１］放射線画像撮影装置１がブッキー装置５１に装填されている場合には、当該ブッキー装置５１に放射線画像撮影装置１を装填した状態で撮影を行うことを指定する撮影オーダ情報に対応するアイコンＩを選択し、フォーカスして表示する。
［１−２］放射線画像撮影装置１がブッキー装置５１に装填されていない場合には、放射線画像撮影装置１をブッキー装置５１に装填しない単独の状態で撮影を行うことを指定する撮影オーダ情報に対応するアイコンＩを選択し、フォーカスして表示する。
【０１５２】
上記の基準［１−１］は、例えば、放射線画像撮影装置１が立位撮影用のブッキー装置５１Ａに装填されている場合に、放射線源５２Ａが立位撮影用のブッキー装置５１Ａの方向を向いている場合は勿論、立位撮影用のブッキー装置５１Ａの方向を向いていない場合であっても、通常、放射線画像撮影装置１を立位撮影用のブッキー装置５１Ａから抜き出して臥位撮影用のブッキー装置５１Ｂに装填し直すよりも、放射線源５２Ａの照射方向を変更する方が、変更の程度が少なく、操作者の負荷を低減可能である。また、コンソール上で撮影開始を入力し、実際に撮影室内に移動するまでの間に放射線源の準備が完了するため、早期に撮影を終えることが可能になる。
【０１５３】
また、上記の基準［１−２］は、放射線画像撮影装置１をブッキー装置５１に装填しない単独の状態で用いて撮影を行う場合には、一の患者に対する４回の撮影の間の操作者作業量（ブッキー装置５１への放射線画像撮影装置１の着脱操作）を少なくすることができる。
【０１５４】
また、上記の基準［１−２］の場合であっても、操作者が放射線画像撮影装置１をブッキー装置５１に装填して行う撮影を先に行うと判断した場合には、操作者は、下記の基準３に従って、コンソール５８が選択したアイコンＩとは別のアイコンＩを選択してフォーカスすることができる。
【０１５５】
［基準２］
撮影室Ｒａ内に放射線画像撮影装置１が持ち込まれていない場合や、上記の基準に従ってもいずれのアイコンＩをフォーカスするかの判断ができないような場合等（以下、このような状態を略してデフォルトの状態という。）には、コンソール５８は、表示部５８ａ上に例えば登録順等の所定の順番で並べて表示されたアイコンＩ１〜Ｉ４のうち、まだ撮影が行われていないアイコンＩの中で順番が最も先のアイコンＩ（図１５や図１７等の場合は、より左側に表示されているアイコンＩ１）を選択してフォーカスする。
【０１５６】
［基準３］
コンソール５８が自動的にアイコンＩを選択してフォーカスする理由は、上記の効果があるため、そのアイコンＩを選択することを推薦するためであり、操作者に、選択しフォーカスしたアイコンＩに対応する撮影オーダ情報に基づく撮影を行うことを強制するものではない。
【０１５７】
従って、操作者は、フォーカスされたアイコンＩに対応する撮影オーダ情報以外の撮影オーダ情報に基づいて撮影を行いたい場合は、撮影を行う撮影オーダ情報に対応する別のアイコンＩをクリックすることで、そのアイコンＩを選択することができる。
【０１５８】
操作者が、フォーカスされたアイコンＩとは別のアイコンＩをクリックして選択した場合には、操作者により選択されたアイコンＩがフォーカスされ、コンソール５８が自動的に選択したアイコンＩのフォーカスが解除される。すなわち、コンソール５８が自動的に選択したアイコンＩは、他のアイコンＩと同様に、フォーカスされていない元の態様の表示に戻して表示される。
【０１５９】
コンソール５８は、図１７に示したように画面Ｈ２に各アイコンＩ１〜Ｉ４を表示する場合、放射線画像撮影装置１は、現在、立位撮影用のブッキー装置５１Ａに装填されているため、上記の基準１に従って、アイコンＩ２またはアイコンＩ３を選択する。そして、アイコンＩ２、Ｉ３のみについて見た場合、上記のデフォルトの場合の基準２が適用されるため、アイコンＩ２を選択する。
【０１６０】
そのため、コンソール５８の表示部５８ａの画面Ｈ２には、図１８に示すように、アイコンＩ２が選択されフォーカスされて表示される。通常、このようにアイコンＩをフォーカスして表示する場合には、表示された順番の最も先頭のアイコンＩ１がフォーカスされるが、本発明では、図１８に示したように、表示された順番にかかわらず、撮影を最も速やかに行うことができる撮影を指定する撮影オーダ情報に対応するアイコンＩ２がフォーカスされる。
【０１６１】
コンソール５８は、選択したアイコンＩ（図１８の場合はアイコンＩ２）をフォーカスして表示すると、そのアイコンＩに対応する撮影オーダ情報に基づいて、即座にその撮影に用いられる各装置を所定の状態に起動するようになっている。すなわち、図１８に示した場合には、放射線源５２Ａが起動していなければ起動し、立位撮影用のブッキー装置５１Ａに放射線を照射できる状態になっていなければ、放射線源５２Ａを所定の位置に移動させて照射方向を変える。
【０１６２】
また、放射線画像撮影装置１がスリープモードであれば、放射線画像撮影装置１に覚醒信号（wake up信号等ともいう。）を送信して撮影可能モードに遷移させる等の処理を行うようになっている。
【０１６３】
このように各装置を起動させると、上記のように、操作者が、ブッキー装置５１に装填されていない放射線画像撮影装置１をブッキー装置５１に装填したり、ブッキー装置５１に装填された放射線画像撮影装置１を他のブッキー装置５１に装填し直したりする動作を行うことなく、或いは、最小限の動作を行うだけで撮影を行うことが可能となるため、操作者が撮影室Ｒａ内に移動後に撮影を速やかに行うことが可能となる。
【０１６４】
そのため、放射線画像撮影システム５０が、放射線技師等の操作者にとって使い勝手が良いものとなるとともに、放射線画像撮影を効率良く行うことが可能となる。
【０１６５】
一方、放射線技師等の操作者が、コンソール５８の表示部５８ａの画面Ｈ２上では上記の操作を行わずに、例えば、新たな放射線画像撮影装置１を撮影室Ｒａに持ち込んでクレードル５５に装填してコンソール５８に新たな放射線画像撮影装置１が持ち込まれたことを通知し、当該放射線画像撮影装置１の選択スイッチ３８を押下したり、当該新たな放射線画像撮影装置１をブッキー装置５１に装填したり、或いは、ＣＲカセッテを持ち込んでブッキー装置５１に装填するような場合がある。
【０１６６】
このような場合、それぞれカセッテＩＤやバーコード情報等がコンソール５８に送信されてくるため、コンソール５８は上記の操作が行われたことを認識することができる。そして、そのような操作が行われた場合には、新たに持ち込んだ放射線画像撮影装置１やＣＲカセッテを用いて撮影を行うことが操作者の意思であると判断することができる。
【０１６７】
そこで、本実施形態では、このような場合には、コンソール５８は、カセッテＩＤやバーコード情報等が送信されてきた時点で、それを記憶手段５９に保存して登録するとともに、表示部５８ａの画面Ｈ２上でフォーカスするアイコンＩやアイコンＩの表示を、新たに送信されてきたカセッテＩＤやバーコード情報等の情報に応じて切り替えるようになっている。
【０１６８】
すなわち、図１８の例で言えば、操作者が撮影室Ｒａ内で新たに持ち込んだ放射線画像撮影装置１の選択スイッチ３８を押下した場合には、コンソール５８は、操作者による表示部５８ａ上での操作がなくても、フォーカスするアイコンＩを、自らが自動選択してフォーカスしたアイコンＩ２から、放射線画像撮影装置１をブッキー装置５１に装填しない単独の状態で撮影を行うことを指定する撮影オーダ情報に対応するアイコンＩ４に切り替える。
【０１６９】
また、操作者が新たな放射線画像撮影装置１を臥位撮影用のブッキー装置５１Ｂに装填した場合には、コンソール５８は、フォーカスするアイコンＩを、アイコンＩ２から、臥位撮影用のブッキー装置５１Ｂに放射線画像撮影装置１を装填した状態で撮影を行うことを指定する撮影オーダ情報に対応するアイコンＩ１に切り替える。
【０１７０】
さらに、操作者がＣＲカセッテを臥位撮影用のブッキー装置５１Ｂに装填した場合には、コンソール５８は、フォーカスするアイコンＩを、アイコンＩ２から、臥位撮影用のブッキー装置５１Ｂを用いて撮影を行うことを指定する撮影オーダ情報に対応するアイコンＩ１に切り替えるとともに、アイコンＩ１中の「ＦＰＤ」の表示部分Ｉｂの表示を、ＣＲカセッテのバーコード情報やサイズ等の表示に切り替える。
【０１７１】
なお、操作者が立位撮影用のブッキー装置５１Ａから放射線画像撮影装置１を抜き出し、代わりにＣＲカセッテを装填した場合には、コンソール５８がフォーカスするアイコンＩは、アイコンＩ２のまま変わらないが、アイコンＩ２中の「ＦＰＤ」の表示部分Ｉｂの表示が、ＣＲカセッテのバーコード情報やサイズ等の表示に切り替えられる。
【０１７２】
このようにフォーカスするアイコンＩが切り替えられると、対応する撮影オーダ情報も切り替わり、また、アイコンＩの表示が放射線画像撮影装置１からＣＲカセッテに切り替えられると、撮影条件を変更しなければならない。そのため、コンソール５８は、撮影オーダ情報や撮影条件が切り替わる場合には、フォーカスするアイコンＩやアイコンＩの表示を切り替えると同時に、上記のように既に開始させた各装置の起動を停止して、変更された後の撮影条件に基づいてその撮影に用いられる各装置を所定の状態に起動および制御する。
【０１７３】
このように、本実施形態に係る放射線画像撮影システム５０では、放射線技師等の操作者の意思に応じて、フォーカスするアイコンＩやアイコンＩの表示を自動的に切り替えて、各装置を所定の状態に自動的に起動させるため、この点でも、放射線画像撮影システム５０が操作者にとって使い勝手が良いものとなる。
【０１７４】
放射線源５２や放射線画像撮影装置１等が、フォーカスされたアイコンＩ（変更後のフォーカスされたアイコンＩを含む。）に対応する撮影オーダ情報や、放射線画像撮影装置１からＣＲカセッテに切り替えられることにより変更された撮影条件に基づいて起動されている間、放射線技師等の操作者は、例えば患者を撮影室Ｒａ内に誘導したり、所定の位置で所定の姿勢をとらせたりする。
【０１７５】
そして、操作者は前室Ｒｂに移動し、撮影を行うことができる状況が整った時点で曝射スイッチ５６を操作することにより、放射線源５２から放射線が照射されて放射線画像撮影が行われる。
【０１７６】
放射線画像撮影が行われると、前述したように、放射線画像撮影装置１の制御手段２２は、各放射線検出素子７から画像データＤを読み出して記憶手段２３に保存する。また、本実施形態では、制御手段２２は、各放射線検出素子７から読み出した各画像データＤに基づいて、各画像データＤを所定の割合で間引いて自動的にプレビュー用の間引きデータＤｔを作成して、アンテナ装置４１やブッキー装置５１を介して、カセッテＩＤを付した間引きデータＤｔをコンソール５８に送信する。
【０１７７】
また、本実施形態では、制御手段２２は、間引きデータＤｔをコンソール５８に送信した後、当該間引きデータＤｔの作成の基となった画像データＤにカセッテＩＤを付与して、コンソール５８に自動的に送信する。なお、間引きデータＤｔを作成せずに、画像データＤを送信してもよいことや、コンソール５８等からの送信指示があった時点で画像データＤを送信するように構成することも可能であることは前述した通りである。
【０１７８】
さらに、制御手段２２は、所定のタイミングで行ったダーク読取処理で読み出したダーク読取値ｄに基づいてオフセット補正値Ｏを算出し、算出したオフセット補正値ＯにカセッテＩＤを付与して、コンソール５８に自動的に送信する。
【０１７９】
一方、ＣＲカセッテを用いて放射線画像撮影が行われた場合には、撮影後、ＣＲカセッテは操作者等により撮影室Ｒａ外の読取装置に運ばれて画像データＤの読み取り処理等が行われる。そして、読取装置からコンソール５８に、画像データＤがＣＲカセッテのバーコード情報とともに送信される。
【０１８０】
コンソール５８は、放射線画像撮影装置１から間引きデータＤｔ等が送信されてきた段階で、或いは、読取装置からＣＲカセッテで撮影された画像データＤが送信されてきた段階で、送信されてきた間引きデータＤｔや画像データＤに基づいてプレビュー画像を作成するようになっている。
【０１８１】
そして、コンソール５８は、図１９に示すように、表示部５８ａの画面Ｈ２上の、フォーカスして表示したアイコンＩ２が表示されていた位置に、当該アイコンＩ２に代えて、作成したプレビュー画像ｐ_preを表示するようになっている。このプレビュー画像ｐ_preにより、撮影時の患者ポジショニングの良否を確認して、必要に応じて再撮影の準備にとりかかることができる。
【０１８２】
また、コンソール５８は、プレビュー画像ｐ_preを表示するとともに、プレビュー画像ｐ_pre（元のアイコンＩ２）の下に表示されている、画像データＤ（すなわちrawデータ）に対する諧調処理等の診断提供画像としての一連の画像処理の進行度を表すゲージＧの１段目（本実施形態では、最も左側のゲージ）を着色して表示する。
【０１８３】
そして、コンソール５８は、放射線画像撮影装置１から送信されてくる画像データＤやオフセット補正値Ｏに基づいて、画像データＤに対するオフセット補正やゲイン補正、対数変換補正等の種々の画像処理を行って、最終的な画像処理済診断用の放射線画像ｐを生成する。
【０１８４】
その際、図示を省略するが、本実施形態では、画像データＤに対する画像処理の進行度に従って、画像処理の途中の画像を、画面Ｈ２上のプレビュー画像ｐ_preが表示されていた位置に適宜表示するとともに、処理の進行度を表すゲージＧの２段目（本実施形態では中央のゲージ）まで着色して表示して、画像処理中であることを示す。
【０１８５】
ゲージＧの３段目（本実施形態では、最も右側のゲージ）が着色された時点で、プレビュー画像ｐ_preは放射線画像ｐで上書き表示される。放射線技師等は、この３段目の着色により放射線画像ｐに上書きされたことを認識し、当該画像ｐに基づきコントラスト適否、言いかえると照射線量の適否、を確認し、必要に応じて再撮影準備を行う。なお、処理の進行度を表すゲージＧを、例えば棒の長さを可変させて示すように構成する等の変形は適宜可能であり、ゲージＧを表示しないように構成することも可能である。
【０１８６】
また、本実施形態では、図１９に示すように、プレビュー画像ｐ_preや放射線画像ｐの下側に「ＯＫ」と「ＮＧ」のボタンが表示されるようになっている。そして、操作者は、撮影が正常で再撮影が不要の場合には「ＯＫ」ボタンを、撮影が不正常で再撮影が必要である場合には「ＮＧ」ボタンをクリックするようになっており、このようにして操作者の確認をとるようになっている。
【０１８７】
操作者が、プレビュー画像ｐ_preや放射線画像ｐを見て再撮影は不要であると判断して「ＯＫ」ボタンをクリックすると、コンソール５８は、別のアイコンＩをフォーカスして表示するが、この処理については後で説明する。
【０１８８】
また、操作者が、プレビュー画像ｐ_preや放射線画像ｐを見て再撮影が必要であると判断して「ＮＧ」ボタンをクリックすると、コンソール５８は、プレビュー画像ｐ_preや放射線画像ｐの表示を元のアイコンＩ２の表示に戻すとともに、「ＯＫ」ボタンや「ＮＧ」ボタンの表示も画面Ｈ２から消し、或いは「ＯＫ」ボタンや「ＮＧ」ボタンをクリックできないようにする。また、ゲージＧの表示も元に戻す。
【０１８９】
そして、送信されてきた間引きデータＤｔや画像データＤを破棄するとともに、放射線画像撮影装置１に当該放射線画像撮影で得られて記憶手段２３に保存されている画像データＤ等を破棄するように指令する。当該放射線画像撮影で得られた画像データＤ等は不要であるからである。
【０１９０】
なお、コンソール５８は、操作者が「ＯＫ」ボタンをクリックした場合には、プレビュー画像ｐ_preや放射線画像ｐの表示を元のアイコンＩ２の表示には戻さずにプレビュー画像ｐ_preや放射線画像ｐを表示した状態のままとし、「ＯＫ」ボタンや「ＮＧ」ボタンの表示も画面Ｈ２から消し、或いは「ＯＫ」ボタンや「ＮＧ」ボタンをクリックできないようにする。
【０１９１】
そして、コンソール５８は、操作者が、例えば、アイコンＩを選択する場合と同じようにプレビュー画像ｐ_preや放射線画像ｐ上にカーソルを移動させてクリックしても、再度アイコンＩ２を選択することができないようにする。
【０１９２】
これは、既に正常に行われた撮影（すなわち再撮影が不要と判断された撮影）を再度選択する必要がないためであり、既に正常に行われた撮影を再度選択することで既に得られている画像データＤ等が破棄される等の不都合が生じないようにするためである。なお、何らかの事情で、当該撮影オーダ情報に基づく放射線画像撮影を再度行う必要が生じ、既に得られている画像データＤ等を破棄する必要が生じた場合に備えて、特殊な操作を行うことで当該撮影オーダ情報に対して既に得られた画像データＤ等を破棄することができるように構成することも可能であり、その場合は、適宜の操作方法が設定される。
【０１９３】
そして、最終的な放射線画像ｐを生成すると、図２０に示すように、生成した放射線画像ｐを、画面Ｈ２上の画像処理中の画像が表示されていた位置（すなわちプレビュー画像ｐ_preが表示されていた位置）に表示するとともに、処理の進行度を表すゲージＧの３段目（本実施形態では、右側のゲージ）まで着色して表示して、放射線画像ｐの生成処理までの各処理が完了したことを示す。
【０１９４】
コンソール５８は、このようにして生成した放射線画像ｐを、元のアイコンＩ２に対応する撮影オーダ情報に対応付けて記憶手段５９に保存するようになっている。また、画像処理する前の画像データＤ（すなわちいわゆるrawデータ）も撮影オーダ情報に対応付けて記憶手段５９に保存するように構成することも可能である。
【０１９５】
このように、本実施形態に係る放射線画像撮影システム５０では、コンソール５８が選択したアイコンＩをフォーカスし、或いは、放射線技師等の操作者が選択したアイコンＩを的確にフォーカスする。また、操作者の意思に応じて、フォーカスするアイコンＩやアイコンＩの表示を的確に切り替える。
【０１９６】
そして、フォーカスして表示されたアイコンＩに対応する撮影オーダ情報に基づいて、或いは、その撮影オーダ情報から、使用するブッキー装置５１や放射線画像撮影装置１等の情報が変更された撮影オーダ情報に基づいて、放射線画像撮影が行われる。なお、撮影オーダ情報に指定されたブッキー装置５１等は変更できるが、少なくとも撮影オーダＩＤ（図１３や図１４参照）は変更されない。
【０１９７】
そして、放射線画像撮影装置１や、ＣＲカセッテから画像データＤを読み取った読取装置から送信された画像データＤを、フォーカスして表示したアイコンＩに対応する撮影オーダ情報に対応付ける。そのため、フォーカスして表示されたアイコンＩに対応する撮影オーダ情報に基づく撮影で得られた画像データＤを、当該撮影オーダ情報に自動的に且つ的確に対応付けることが可能となる。
【０１９８】
そのため、撮影オーダ情報に基づく撮影で得られた画像データＤが、当該撮影オーダ情報とは異なる撮影オーダ情報に対応付けられてしまうことが的確に防止され、この点においても、放射線画像撮影システム５０が、操作者にとって使い勝手が良いものとなるとともに、放射線画像撮影を効率良く行うことが可能となる。
【０１９９】
図１９に示したように、プレビュー画像ｐ_preの下側に「ＯＫ」と「ＮＧ」のボタンが表示され、操作者が再撮影は不要であるとして「ＯＫ」ボタンをクリックすると、当該プレビュー画像ｐ_pre等に関する処理は、上記のように行われる。
【０２００】
また、コンソール５８は、続いて、再び上記の各基準に従って、次のアイコンＩを選択してフォーカスするようになっている。
【０２０１】
具体的には、コンソール５８は、図１９に示した場合、放射線画像撮影装置１が立位撮影用のブッキー装置５１Ａに装填されているため、上記の基準１に照らして、図２１に示すように、放射線画像撮影装置１のブッキー装置５１に対する装填状態を変える必要がなく、各放射線源５２Ａの起動状態や位置、向き等を現在の状態から変えないで撮影を行うことができる撮影オーダ情報に対応するアイコンＩ３を選択してフォーカスする。
【０２０２】
このように、本実施形態に係る放射線画像撮影システム５０では、デフォルトのアイコンＩ１ではなく、各放射線画像撮影装置１のモードやブッキー装置５１に対する装填状態、各放射線源５２の起動状態、放射線源５２Ａの位置や向き等の、それぞれの現在の状態を変えないで撮影を行うことができる撮影条件が指定された撮影オーダ情報に対応するアイコンＩ２が自動的に選択されてフォーカスされる。
【０２０３】
この場合、アイコンＩ２に対応する撮影オーダ情報に基づく撮影が行われたばかりであり、放射線画像撮影装置１は撮影可能モードであるため、コンソール５８から放射線画像撮影装置１に覚醒信号を送信する必要はない。また、放射線源５２Ａは起動しており、立位撮影用のブッキー装置５１Ａに放射線を照射できる状態になっているが、照射する放射線の線量が変わる場合には、その線量を照射するように管電圧等が変更される。
【０２０４】
そして、放射線画像撮影が行われると、放射線画像撮影装置１から間引きデータＤｔ等がコンソール５８に送信され、コンソール５８は、上記と同様にして、送信されてきた間引きデータＤｔ等に基づくプレビュー画像ｐ_preの作成、表示、放射線画像ｐの生成、表示等を行う。
【０２０５】
コンソール５８は、プレビュー画像ｐ_preを元のアイコンＩ３の位置に表示して、「ＯＫ」ボタンがクリックされると、続いて、再び上記の各基準に従って、次のアイコンＩを選択してフォーカスする。
【０２０６】
この場合、選択可能なアイコンＩは、アイコンＩ１とアイコンＩ４であるが、コンソール５８は、上記の基準１に照らして、アイコンＩ１を選択してフォーカスする。このように選択する理由は、以下の通りである。
【０２０７】
すなわち、アイコンＩ４に対応する撮影オーダ情報に基づく撮影を行う場合には、放射線源５２Ａの起動を停止し、ポータブルの放射線源５２Ｂを起動させなければならないが、アイコンＩ１に対応する撮影オーダ情報に基づく撮影を行う場合には、起動している放射線源５２Ａの位置や照射方向を変えるだけで済むためである。
【０２０８】
このように、上記の場合に、アイコンＩ３を選択すれば、各放射線画像撮影装置１のブッキー装置５１に対する装填状態や、各放射線源５２の起動状態、放射線源５２Ａの位置や向き等の、それぞれの現在の状態からの変更の程度が最も少ない状態で次の撮影を行うことが可能となる。
【０２０９】
そのため、コンソール５８がフォーカスしたアイコンＩ１に対応する撮影オーダ情報に基づいて撮影を行えば、操作者は放射線画像撮影装置１を立位撮影用のブッキー装置５１Ａから臥位撮影用のブッキー装置５１Ｂに装填し直すだけでよいため、最小限の動作を行うだけで撮影を行うことが可能となり、撮影を速やかに行うことが可能となる。そのため、放射線画像撮影システム５０が、操作者にとって使い勝手が良いものとなるとともに、放射線画像撮影を効率良く行うことが可能となる。
【０２１０】
なお、コンソール５８がアイコンＩ１を選択してフォーカスしたとしても、操作者が、アイコンＩ４に対応する撮影オーダ情報に基づく撮影、すなわち、放射線画像撮影装置１を患者の身体にあてがったり患者の身体とベッド等との間に差し込んだりして行う撮影の方を先に行うことを判断した場合には、アイコンＩ４をクリックする等して、フォーカスして表示するアイコンＩをアイコンＩ４に移すことが可能であることは、前述した通りである。
【０２１１】
ところで、上記の説明では、最も単純なケースとして、撮影室Ｒａ内に放射線画像撮影装置１が１つだけ持ち込まれており、当該放射線画像撮影装置１が既に立位撮影用のブッキー装置５１Ａに装填されている場合について説明した。撮影室Ｒａ内に放射線画像撮影装置１が予め複数持ち込まれている場合については、第２の実施形態で説明する。
【０２１２】
一方、撮影室Ｒａ内に１つだけ存在する放射線画像撮影装置１が既に臥位撮影用のブッキー装置５１Ｂに装填されている場合には、コンソール５８の表示部５８ａの画面Ｈ２では、図示を省略するが、臥位撮影用のブッキー装置５１Ｂを用いて撮影を行うことを指定する撮影オーダ情報に対応するアイコンＩ１がフォーカスして表示される。
【０２１３】
また、撮影室Ｒａ内に１つだけ存在する放射線画像撮影装置１が、クレードル５５挿入された状態のままであったり、クレードル５５からは抜き出されているが立位撮影用のブッキー装置５１Ａにも臥位撮影用のブッキー装置５１Ｂにも装填されていない場合には、コンソール５８の表示部５８ａの画面Ｈ２では、放射線画像撮影装置１をブッキー装置５１に装填せずに単独の状態で用いて撮影を行うことを指定する撮影オーダ情報に対応するアイコンＩ４がフォーカスして表示される。
【０２１４】
そして、コンソール５８は、自らが自動選択したアイコンＩに対応する撮影オーダ情報に従って、放射線源５２を起動させる等の処理を自動的に行う。このように各装置を起動させると、上記のように、操作者が、ブッキー装置５１に装填されていない放射線画像撮影装置１をブッキー装置５１に装填したり、ブッキー装置５１に装填された放射線画像撮影装置１を他のブッキー装置５１に装填し直したりする動作を行うことなく、或いは、最小限の動作を行うだけで撮影を行うことが可能となるため、撮影を速やかに行うことが可能となる。
【０２１５】
また、撮影が行われて得られた間引きデータＤｔや画像データＤ等に基づくプレビュー画像ｐ_preや放射線画像ｐは、フォーカスされて表示されているアイコンＩの位置に自動的に表示されるとともに、フォーカスされて表示されているアイコンＩに対応する撮影オーダ情報に自動的に対応付けられて保存される。
【０２１６】
そのため、上記の場合も、放射線画像撮影システム５０が、放射線技師等の操作者にとって使い勝手が良いものとなるとともに、放射線画像撮影を効率良く行うことが可能となる。
【０２１７】
また、上記の各場合に、放射線技師等の操作者が、コンソール５８が選択してフォーカスしたアイコンＩに対応する撮影オーダ情報とは異なる撮影オーダ情報に基づく撮影を行いたい場合には、別のアイコンＩをクリックしたり、或いは、撮影室Ｒａ内で放射線画像撮影装置１を目的のブッキー装置５１に装填することで、フォーカスして表示されるアイコンＩを、操作者が行いたい撮影を指定する撮影オーダ情報に対応するアイコンＩに適切に切り替えることができる。
【０２１８】
そして、コンソール５８は、操作者が切り替えたアイコンＩに対応する撮影オーダ情報に従って、放射線源５２を起動させる等の処理を自動的に行う。そして、撮影が行われて得られた間引きデータＤｔや画像データＤ等に基づくプレビュー画像ｐ_preや放射線画像ｐは、フォーカスされて表示されているアイコンＩの位置に自動的に表示されるとともに、フォーカスされて表示されているアイコンＩに対応する撮影オーダ情報に自動的に対応付けられて保存される。
【０２１９】
そのため、放射線技師等の操作者の意思に応じてフォーカスするアイコンＩを切り替えることが可能となるとともに、画像データＤ等は、切り替えられたアイコンＩに対応する撮影オーダ情報に的確に対応付けられて保存されるため、この点でも、放射線画像撮影システム５０が操作者にとって使い勝手が良いものとなる。
【０２２０】
以上のように、本実施形態に係る放射線画像撮影システム５０によれば、コンソール５８は、少なくとも上記の基準１等に従って、放射線画像撮影装置１がブッキー装置５１に装填されている場合には、表示部５８ａ上に表示した各撮影オーダ情報に対応するアイコンＩの表示の順番にかかわらず、当該ブッキー装置５１に放射線画像撮影装置１を装填した状態で撮影を行うことを指定する撮影オーダ情報に対応するアイコンＩをフォーカスして表示する。
【０２２１】
また、放射線画像撮影装置１がブッキー装置５１に装填されていない場合には、放射線画像撮影装置１をブッキー装置５１に装填しない状態で撮影を行うことを指定する撮影オーダ情報に対応するアイコンＩ４をフォーカスして表示する。
【０２２２】
そのため、放射線技師等の操作者は、コンソール５８がフォーカスして表示したアイコンＩに対応する撮影オーダ情報に基づく撮影を行えば、少なくとも放射線画像撮影装置１のブッキー装置５１に対する装填状態を変更することなく撮影を行うことが可能となる。そのため、本実施形態に係る放射線画像撮影システム５０は、操作者にとって使い勝手が良いものとなる。また、それとともに、放射線画像撮影を効率良く行うことが可能となる。
また、撮影の順番は最も効率的になるようにコンソールが自動判断するが、撮影完了後に、画像データを外部へ出力する際には、当初の撮影オーダ順通りに出力することができるので、外部のＰＡＣＳ（Picture Archiving and Communication System）システムでの画像表示順を混乱させることがない。
【０２２３】
［第２の実施の形態］
上記のように、第１の実施形態では、最も単純なケースとして、撮影室Ｒａ内に放射線画像撮影装置１が１つだけ持ち込まれている場合について説明した。第２の実施形態では、複数の放射線画像撮影装置１が撮影室Ｒａ内に予め持ち込まれている場合について説明する。
【０２２４】
上記の第１の実施形態でも説明したように、撮影開始当初には撮影室Ｒａ内に１つの放射線画像撮影装置１しか持ち込まれず、撮影が進むにつれて、撮影室Ｒａ内に新たに放射線画像撮影装置１が持ち込まれて、撮影室Ｒａ内に放射線画像撮影装置１が複数存在する状況になることは、通常、しばしば行われることである。
【０２２５】
そのため、上記の基準１においては、上記の詳細な基準［１−１］、［１−２］だけでなく、撮影室Ｒａ内に放射線画像撮影装置１が複数存在する場合も考慮して、詳細な基準が細かく設定される。なお、撮影室Ｒａ内に予め放射線画像撮影装置１が複数存在する場合に、放射線画像撮影装置１が新たに撮影室Ｒａ内に持ち込まれた場合には、上記の基準３が適用されることは改めて説明するまでもない。
【０２２６】
撮影室Ｒａ内に予め放射線画像撮影装置１が複数存在する場合、上記の基準１の詳細な基準［１−１］、［１−２］が適用されるが、その他に、複数の放射線画像撮影装置１が撮影室Ｒａ内に予め複数存在する場合の詳細な基準として、以下の詳細な基準が設定されている。
【０２２７】
なお、本実施形態では、この詳細な基準は、上記の基準１の詳細な基準［１−１］、［１−２］よりも優先して適用されるようになっているため、詳細な基準［１−０］とする。
【０２２８】
［１−０］撮影室Ｒａ内に放射線画像撮影装置１が複数存在し、その起動状態が同一である場合には、放射線源５２の現在の起動状態（すなわち起動しているか否か）や放射線源５２の現在の照射方向を変えないで撮影を行うことができる撮影オーダ情報に対応するアイコンＩ、または、起動状態や照射方向の変更の程度が最も少ない撮影オーダ情報に対応するアイコンＩを選択し、フォーカスして表示する。
【０２２９】
従って、撮影室Ｒａ内に放射線画像撮影装置１が複数存在し、例えば図２２に示すように、既に立位撮影用と臥位撮影用の各ブッキー装置５１Ａ、５１Ｂにそれぞれ放射線画像撮影装置１が装填されている場合には、コンソール５８は、まず、放射線源５２Ａ、５２Ｂからそれぞれ現在の起動状態の情報や放射線源の照射方向の情報を入手する。
【０２３０】
そして、例えば、放射線源５２Ａが既に起動しており、臥位撮影用のブッキー装置５１Ｂまたは立位撮影用のブッキー装置５１Ａの方向を向いている場合には、起動している放射線源５２Ａの照射方向を変えないで撮影を行うことができる撮影オーダ情報に対応するアイコンＩ１またはアイコンＩ２をフォーカスして表示する。
【０２３１】
また、例えば、放射線源５２Ａが起動していないが、臥位撮影用のブッキー装置５１Ｂまたは立位撮影用のブッキー装置５１Ａの方向を向いている場合には、放射線源５２Ａを起動させるだけで撮影を行うことができる撮影オーダ情報に対応するアイコンＩ１またはアイコンＩ２をフォーカスして表示する。
【０２３２】
さらに、例えば、放射線源５２Ａが臥位撮影用のブッキー装置５１Ｂや立位撮影用のブッキー装置５１Ａの方向を向いていないが、起動しており、ポータブルの放射線源５２Ｂが起動していない場合には、放射線源５２Ａの照射方向を変えるだけで撮影を行うことができる撮影オーダ情報に対応するアイコンＩ１またはアイコンＩ２をフォーカスして表示する。なお、この場合、デフォルトの場合の基準２が適用されれば、アイコンＩ１がフォーカスして表示されるが、基準１の詳細な基準において何らかの基準が設定されていれば、アイコンＩ２がフォーカスして表示される場合もある。
【０２３３】
さらにまた、例えば、放射線源５２Ａが起動しておらず、ポータブルの放射線源５２Ｂが起動している場合には、放射線源５２Ｂの照射方向を設定するだけで撮影を行うことができる撮影オーダ情報に対応するアイコンＩ４をフォーカスして表示する。
【０２３４】
このように、撮影室Ｒａ内に予め放射線画像撮影装置１が複数存在し、その起動状態が同一である場合には、例えば、放射線源５２の現在の起動状態や放射線源５２の現在の照射方向を変えないで撮影を行うことができる撮影オーダ情報に対応するアイコンＩ、または、起動状態や照射方向の変更の程度が最も少ない撮影オーダ情報に対応するアイコンＩをフォーカスして表示するように構成することができる。
【０２３５】
なお、この場合、放射線源５２の現在の起動状態のみや、放射線源５２の現在の照射方向のみに基づいて、いずれのアイコンＩをフォーカスして表示するかを選択するように構成することも可能である。
【０２３６】
また、上記のように、放射線源５２Ａが臥位撮影用のブッキー装置５１Ｂや立位撮影用のブッキー装置５１Ａの方向を向いていないが、起動しており、ポータブルの放射線源５２Ｂが起動していない場合には、放射線源５２の照射方向を変えるだけで、アイコンＩ１とアイコンＩ２のいずれに対応する撮影オーダ情報に基づく撮影をも行うことができる。
【０２３７】
そこで、このように、撮影を行うことが可能な撮影オーダ情報が複数存在する場合には、例えば図２３に示すように、これらの複数の撮影オーダ情報にそれぞれ対応する複数のアイコンＩ１、Ｉ２をそれぞれフォーカスして表示するとともに、画面Ｈ２の下方等に「アイコンを選択してください」等の表示を行って、これらの複数のアイコンＩ１、Ｉ２の中から１つのアイコンＩを選択可能であることを報知するように構成することも可能である。
【０２３８】
そして、操作者が、アイコンＩ１、Ｉ２のいずれかを選択してクリックすると、その後は、クリックして選択された方のアイコンＩのみがフォーカスして表示される。
【０２３９】
このように構成すれば、操作者の意思に応じて撮影を行うことが可能となり、放射線画像撮影システム５０が操作者にとって使い勝手が良いものとなる。
【０２４０】
一方、上記の第１の実施形態で説明したように、放射線画像撮影装置１が撮影可能モードとスリープモードとの間でモードを切り替えることができるようになっており、コンソール５８が、各放射線画像撮影装置１のモードを管理して、複数の放射線画像撮影装置１の中のいずれの放射線画像撮影装置１が撮影可能な状態であるか（すなわち撮影可能モードであるか）を管理することができるように構成されている場合には、撮影可能な状態である放射線画像撮影装置１に対して上記の基準１〜３および基準１の詳細な基準［１−０］〜［１−２］を適用するように構成することも可能である。
特に、放射線画像撮影装置１がブッキー装置５１に装填されている場合、電源供給がブッキー装置５１から行われるので、内蔵バッテリ２４の寿命を気にすることなく通電したままで使用可能である。従って、内部の読み取り回路１７等が安定し、必要に応じて定期的にリセットも可能であるので、直ちに撮影可能となる。
【０２４１】
このように構成すれば、放射線画像撮影装置１のモードを撮影可能モードに切り替えて、放射線画像撮影装置１で各放射線検出素子７のリセット処理等が完了するまで待つことなく、既に撮影可能モードである放射線画像撮影装置１を用いて撮影を行うことが可能となる。
【０２４２】
そのため、各放射線画像撮影装置１のモードを切り替えることなく、ブッキー装置５１に対する装填状態や、各放射線源５２の起動状態や照射方向等を変えないで、或いは、変更の程度が最も少ない状態で撮影を行うことが可能となり、撮影をより速やかに行うことが可能となる。また、そのため、放射線画像撮影システム５０が、放射線技師等の操作者にとって使い勝手が良いものとなるとともに、放射線画像撮影を効率良く行うことが可能となる。
【０２４３】
その際、撮影可能な状態である放射線画像撮影装置１が複数存在し、撮影を行うことが可能な撮影オーダ情報が複数存在する場合には、例えば図２３に示したように、これらの複数の撮影オーダ情報にそれぞれ対応する複数のアイコンＩをそれぞれフォーカスして表示するとともに、これらの複数のアイコンＩの中から１つのアイコンＩを選択可能であることを報知するように構成することも可能である。
【０２４４】
そして、このように構成すれば、操作者の意思に応じて撮影を行うことが可能となり、放射線画像撮影システム５０が操作者にとって使い勝手が良いものとなる。
【０２４５】
なお、第１の実施形態で説明したように、当初、撮影室Ｒａ内に放射線画像撮影装置１が１つだけ持ち込まれている場合、放射線技師等の操作者により、撮影室Ｒａ内に新たに別の放射線画像撮影装置１が持ち込まれた場合には、フォーカスして表示されるアイコンＩが、新たに持ち込まれた放射線画像撮影装置１を用いて撮影を行うことを指定する撮影オーダ情報に対応するアイコンＩに自動的に切り替えられるようにしてもよいし、複数の放射線画像撮影装置１が存在する状態になった場合以降で、いずれか一の放射線画像撮影装置１の選択スイッチ３８が操作された場合には、当該放射線画像撮影装置１を使用可能なアイコンＩに切替えても良い。
【０２４６】
しかし、切り替えられてフォーカスされたアイコンＩに対応する撮影オーダ情報に基づく撮影が終了した後は、撮影室Ｒａ内に複数の放射線画像撮影装置１が存在する状態になる。そのため、それ以降の撮影については、第１の実施形態で説明した構成を適用してもよく、また、上記の基準３に従って、操作者によって新たに選択されたアイコンＩに切替えても良く、また、複数の放射線画像撮影装置１のうちのいずれか１つが、操作者により再度選択スイッチ３８が操作されると、当該放射線画像撮影装置１を使用可能なアイコンＩに切替えても良い。
【０２４７】
［第３の実施の形態］
上記の第１および第２の実施形態では、可搬型の放射線画像撮影装置１をブッキー装置５１に装填して用い、或いは、ブッキー装置５１に装填せずに単独の状態で用いて撮影を行う場合について説明した。
【０２４８】
第３の実施形態では、立位撮影用のブッキー装置５１Ａや臥位撮影用のブッキー装置５１Ｂの代わりに、撮影室Ｒａ内に立位撮影用の専用機や臥位撮影用の専用機が設置されている場合について説明する。
【０２４９】
なお、この場合も、撮影室Ｒａに、立位撮影用の専用機のみ、或いは臥位撮影用の専用機のみが設けられているような場合にも本発明が適用される。また、この場合、可搬型の放射線画像撮影装置１は、単独の状態で用いて撮影を行うように使用される。
【０２５０】
この第３の実施形態の場合、立位撮影用の専用機は、第２の実施形態における立位撮影用のブッキー装置５１Ａに可搬型放射線画像撮影装置１が装填された状態と同等であり、臥位撮影用の専用機は、臥位撮影用のブッキー装置５１Ｂに可搬型放射線画像撮影装置１が装填された状態と同等であるとみなすことができるため、放射線画像撮影システム５０における制御構成等を、第２の実施形態で説明した構成と同じように構成することができる。
【０２５１】
立位撮影用の専用機や臥位撮影用の専用機を用いて同日に複数の撮影を行う場合には、通常、最初の撮影を行う前に各専用機の電源をオンした後は電源のオン／オフを行わずに通電したままの状態とし、各専用機のモードを撮影可能モードとスリープモードとの間で切り替えるように構成されることが多い。
【０２５２】
そのため、このような場合には、第２の実施形態で説明した、コンソール５８で各放射線画像撮影装置１（専用機）のモードを管理して、撮影可能な状態である放射線画像撮影装置１（専用機）に対して上記の基準１〜３および基準１の詳細な基準［１−０］〜［１−２］を適用するような構成を採用することが可能である。
【０２５３】
そして、第３の実施形態の場合も、第２の実施形態で説明した作用効果と全く同様の作用効果を得ることが可能となる。
【０２５４】
なお、第１および第２の実施形態では撮影室Ｒａにブッキー装置５１が設置されている場合、第３の実施形態では専用機が設置されている場合について説明したが、ブッキー装置５１と専用機が撮影室Ｒａ内に混在する状況においても、本発明が適用可能であることは言うまでもない。
【０２５５】
また、上記の各実施形態におけるブッキー装置５１や専用機には、例えば、患者の身長方向に放射線画像撮影装置の位置を変えながら患者の身体の広い範囲を撮影する、いわゆる長尺撮影を行うことが可能な放射線画像撮影装置や、患者の乳房を撮影可能な、いわゆるマンモグラフィ装置等の、他の形態の放射線画像撮影装置も含まれ得る。そして、その場合も、本発明が適用可能である。
【０２５６】
また、上記の各実施形態では、撮影室Ｒａとコンソール５８とが１対１に対応付けられている場合について説明したが、例えば後述する図２６や図２７に示すように、複数の撮影室Ｒａと単数または複数のコンソール５８（図２６、図２７ではコンソールＣと記載されている。）とがネットワーク等で接続されているような場合でも、上記の各実施形態で説明した構成を適用することが可能である。
【０２５７】
［生成された放射線画像（医用画像）の外部装置への送信について］
ところで、近年、このような放射線画像撮影装置を用いて患者の放射線画像を撮影し、そのような放射線画像の画像データをネットワークを介して装置間やシステム間でやりとりするＰＡＣＳ（Picture Archiving and Communication System）の開発が進められている。
【０２５８】
また、撮影された放射線画像に対してさらに的確な画像処理を行う必要があるか否かの画像検査を行うために、生成された放射線画像がＱＡ（Quality  Assurance）ステーションに送信されるように構成される場合もある。
【０２５９】
なお、以下では、これらをあわせて医用画像システムという。また、以下では、生成された放射線画像は医用の診断用に用いられるため、医用画像という。さらに、上記のようなＰＡＣＳやＱＡステーション等では、送信されてきた医用画像が読影されて、診断や検査が行われるため、これらをあわせて読影システムという。
【０２６０】
すなわち、医用画像システムは、少なくとも、放射線画像撮影装置を用いて医用画像を撮影する上記のような放射線画像撮影システムと、医用画像の読影が行われる読影システムとを備えて構成される。
【０２６１】
このような医用画像システムでは、医用画像は、通常、前述したように撮影オーダ情報（例えば図１３、図１４参照）に基づいて管理される。撮影オーダ情報は、患者に対する問診等に基づいて決定された、撮影室で行われる放射線画像撮影に関する情報や指令等が設定されたものであり、例えば、患者ＩＤ等の患者情報や、撮影する患者の身体の部位（すなわち撮影部位）や、撮影方向や使用する装置を指定する装置情報等の撮影条件等の各項目を指定して登録されるようになっている。
【０２６２】
そして、放射線画像撮影システムのコンソールでは、放射線技師等の操作者により選択された各撮影オーダ情報に基づいて、放射線画像撮影装置や放射線発生装置等が制御される。
【０２６３】
その際、前述した特許文献５に記載の従来のシステムでは、コンソールの表示部上に、例えば来院した患者に関する各撮影オーダ情報をそれぞれスイッチ状に一覧表示し、操作者が、例えば撮影を行い易い順番になるように、一覧表示された各撮影オーダ情報のスイッチの中から任意の各撮影オーダ情報を選択することができるように構成することが提案されている。
【０２６４】
また、特許文献５に記載のシステムでは、各撮影オーダ情報に基づいて撮影された医用画像を、それらを読影する医師等が依頼した順番で読影システム側に送信することが記載されている。
【０２６５】
しかしながら、このような従来の医用画像システムでは、医師等がいちいち医用画像の送信順を依頼したり指定したりしない場合も多く、医用画像の送信順を指定することを要請されることを嫌がる医師等もいる。しかし、その一方で、医用画像が、医師等が読影したい順番で送信されてこないと、医師等が医用画像をいちいち並べ替えなければならなくなり、医用画像システムが、医師等にとって使い勝手が悪いものになってしまう。
【０２６６】
そこで、以下では、上記の点を鑑みて、医師等が医用画像の送信順を指定しなくても、放射線画像撮影システム側から読影システム側に医師等が読影したい順番で医用画像を送信することが可能なコンソールを備える放射線画像撮影システム、および放射線画像撮影システムと読影システムとを含む医用画像システムについて説明する。
【０２６７】
以下、医用画像システムの実施例について、図面を参照して説明する。ただし、以下で説明する発明は、以下の図示例のものに限定されるものではない。
【０２６８】
図２４は、医用画像システム１００の全体構成を示す図である。医用画像システム１００は、少なくとも、コンソールＣを備え、患者に対して放射線を照射して放射線画像撮影を行う放射線画像撮影システム１０１と、読影用画像管理装置Ｓや画像表示装置Ａを備え、コンソールＣから送信されてきた医用画像の読影を行って診断や検査等を行う読影システム１０２とが、ＬＡＮ（Local Area Network）等のネットワークを介して接続されて構成されている。
【０２６９】
なお、読影システム１０２とは、具体的には、前述したＰＡＣＳやＱＡステーション等であることが想定されている。また、放射線画像撮影システム１０１やコンソールＣは、基本的には前述した放射線画像撮影システム５０（図１参照）やコンソール５８と同様であるが、以下の発明では、後述する図２６や図２７に示すように、撮影室Ｒａとコンソールとが必ずしも１対１に対応付けられていない場合もあるため、以下、放射線画像撮影システム１０１やコンソールＣと表す。
【０２７０】
また、医用画像システム１００には、ネットワークを介して、ＨＩＳ（Hospital Information System；病院情報システム）１０３やＲＩＳ（Radiology Information System；放射線科情報システム）１０４が接続されており、その他、図示を省略するが、他のコンピュータや、医用画像をフィルム等の画像記録媒体に記録して出力するイメージャ等の外部機器が接続されている。
【０２７１】
放射線画像撮影システム１０１は、図２５に示すように、本実施例では、前室（操作室等ともいう。）Ｒｂを備える撮影室Ｒａに構築されている。
【０２７２】
なお、放射線画像撮影装置１や、撮影室Ｒａや前室Ｒｂに設けられた各装置等の構成は上記の各実施形態と同様であり、説明を省略する。
【０２７３】
また、本実施例では、図２５に示したように、放射線画像撮影システム１０１が、１台のコンソールＣと対応付けられた撮影室Ｒａに構築されている最も簡単な場合について説明するが、例えば図２６に示すように、複数の撮影室Ｒａ（Ｒａ１〜Ｒａ４）と複数のコンソールＣ（Ｃ１〜Ｃ３）とが所定の接続の仕方で接続されていたり、例えば図２７に示すように、複数の撮影室Ｒａ（Ｒａ１〜Ｒａ４）と複数のコンソールＣ（Ｃ１〜Ｃ３）がそれぞれネットワークＮを介して接続されるように構成されている場合にも、本発明を適用することができる。
【０２７４】
この場合、図２６や図２７に示すように、各コンソールＣとネットワークＮ等で接続されたサーバ等の管理装置Ｃ＊を設けるように構成してもよく、また、管理装置Ｃ＊を設ける代わりに、いずれか１つのコンソールＣで管理装置Ｃ＊を代用するように構成することも可能である。その場合、管理装置Ｃ＊や管理装置Ｃ＊を代用するコンソールＣが、後述するように読影システム１０２の読影用画像管理装置Ｓから送信されてくる情報を受信して送信順を修正する等の処理を行うように構成される。
【０２７５】
さらに、コンソールＣにおける撮影オーダ情報の入手、アイコンＩのフォーカス表示、プレビュー画像ｐ_preの表示、放射線画像ｐすなわち医用画像ｐの生成等については、上記の各実施形態の場合と同様であり、説明を省略する。
【０２７６】
次に、コンソールＣから読影システム１０２の読影用画像管理装置Ｓへの医用画像の送信順の設定、修正等について説明するとともに、本実施例に係る放射線画像撮影システム１０１および医用画像システム１００（図２４参照）の作用について説明する。なお、以下では、各アイコンＩ１〜Ｉ４に対応して取得、生成された医用画像をそれぞれ医用画像ｐ１〜ｐ４という。
【０２７７】
例えば、コンソールＣの表示部Ｃａの画面Ｈ２上の各アイコンＩ１〜Ｉ４に対応する全ての放射線画像撮影が終了すると、図２８に示すように、各アイコンＩ１〜Ｉ４が表示されていた位置に、それぞれ対応する各医用画像ｐ１〜ｐ４が表示された状態になる。
【０２７８】
なお、図２８に示した画面Ｈ２は、上記の図１５〜図２３に示した画面Ｈ２の別の構成例であり、基本的には図１５〜図２３に示した画面Ｈ２の動作と同じように動作する。
【０２７９】
また、図２８に示した画面Ｈ２では、画面Ｈ２の右側に表示されている照射条件の設定用の表示Ｉａ上の各項目の「＋」ボタンや「−」ボタンをクリックすることで、放射線発生装置５７の放射線源５２（図１や図２５参照）から放射線を照射する際の管電圧や管電流、照射時間等の照射条件を変更して設定することができるようになっている。
【０２８０】
さらに、画面Ｈ２の左側には、フォーカスして表示されているアイコンＩに対応する撮影オーダ情報で指定された撮影部位を、操作者が一目で分かるように表した人体モデルＩｂが表示されている。例えば、胸部正面の撮影を指定するアイコンＩ２がフォーカスされている場合には、人体モデルＩｂの胸部の部分が他の部分とは別の態様で、すなわち例えば赤く着色されて表示される。ただし、図２８の場合は、各アイコンＩ１〜Ｉ４に対応する全ての放射線画像撮影が終了した場合が示されており、人体モデルＩｂの特定の撮影部位が目立つようには表示されていない。
【０２８１】
そして、図２８に示した例では、これらの医用画像ｐ１〜ｐ４が、図２４に示したように、放射線画像撮影システム１０１のコンソールＣからＬＡＮ等のネットワークを介してＰＡＣＳやＱＡステーション等の読影システム１０２の読影用画像管理装置Ｓに送信されるようになっている。
【０２８２】
読影システム１０２では、放射線画像撮影システム１０１のコンソールＣから生成された一連の医用画像ｐが送信されてくると、各医用画像ｐをＨＤＤ等で構成された記憶手段Ｓｃに保存して、読影用画像管理装置Ｓで医用画像ｐを管理するようになっている。そして、必要に応じて、各医用画像ｐが読影用画像管理装置Ｓから各画像表示装置Ａに送信されて、各画像表示装置Ａの表示手段Ａａの画面上に表示されて読影されるようになっている。
【０２８３】
また、画像表示装置Ａには、キーボードやマウス等の入力手段Ａｂが接続されており、画像表示装置Ａは、表示手段Ａａの画面上に表示される一連の医用画像ｐが読影される順番、すなわち一連の医用画像ｐを読影する医師等が画像表示装置Ａの表示手段Ａａの画面上に表示される医用画像ｐに対する読影のための表示順を、入力手段Ａｂを操作することにより変更することができるようになっている。
【０２８４】
画像表示装置Ａは、医師等により、一連の医用画像ｐの表示順が変更された場合には、変更された表示順を、読影用画像管理装置Ｓに逐次通知するようになっている。
【０２８５】
なお、以下では、説明を簡単にするために、画像表示装置Ａのみで一連の医用画像ｐの読影や表示順の変更が行われる場合について説明するが、図２４に示したように、読影用画像管理装置Ｓ自体に表示手段Ｓａや入力手段Ｓｂ等を接続し、読影用画像管理装置Ｓにおいても一連の医用画像ｐの読影や表示順の変更を行うことができるように構成することも可能である。
【０２８６】
本実施例では、放射線画像撮影システム１０１のコンソールＣから読影システム１０２の読影用画像管理装置Ｓに一連の医用画像ｐを送信する際の送信順が、各医用画像ｐ１〜ｐ４を撮影する基となった各撮影オーダ情報で指定された撮影部位や撮影条件で規定されて定められるようになっている。
【０２８７】
送信順は、例えば放射線画像撮影システム１０１が適用される病院や医院で基本的なルールが定められている場合がある。このような場合、例えば図２９のテーブルに示すように、撮影部位や撮影条件で規定される順番で一連の医用画像ｐが送信される。
【０２８８】
しかし、例えば、読影システム１０２の画像表示装置Ａ上で、上記のように、医師等により特定の患者に関する一連の医用画像ｐの表示順が変更される場合がある。そのような場合に、その後の医用画像ｐの送信においても、図２９に示したテーブルに従い、上記の基本的なルールに従って一連の医用画像ｐを送信すると、その度に医師等が当該患者の一連の医用画像ｐの表示順を画像表示装置Ａ上で変更しなければならず、面倒である。
【０２８９】
そのため、コンソールＣは、図２９に示したような基本的なルールに従ったテーブルとは別に、患者ごとに撮影部位や撮影条件と送信順とを対応付けるテーブルを有しており、当該患者の一連の医用画像ｐを読影用画像管理装置Ｓに送信する際に、このテーブルを参照して、一連の医用画像ｐの送信順を決定するようになっている。また、画像表示装置Ａや読影用画像管理装置Ｓで一連の医用画像ｐの表示順の変更が行われた場合には、それに応じてこのテーブルが修正されるように構成されている。
【０２９０】
以下、このことについて具体的に説明する。なお、以下では、上記の基本的なルールに従ったテーブル（図２９参照）と区別するために、患者ごとに定められ修正されるテーブルを履歴テーブルＴという。
【０２９１】
コンソールＣから読影用画像管理装置Ｓへの一連の医用画像ｐの送信順を示す履歴テーブルＴは、デフォルトの状態では、例えば図２９に示した基本的なルールに従ったテーブルの同形のテーブルとされている。そして、履歴テーブルＴは、図２９に示したように、少なくとも撮影部位に関しては、患者の身体の上側の部分を先に送信し、順次下側に向けて送信するように定められている。そして、各撮影部位について、さらに各撮影条件ごとに送信順が細かく規定されている。
【０２９２】
この送信順の履歴テーブルＴは、患者ごとに管理され、すなわち本実施例では患者ＩＤに対応付けられて、例えば記憶手段Ｃｃに記憶されている。そして、コンソールＣは、ある患者の一連の医用画像ｐを読影用画像管理装置Ｓに送信する際には、当該患者の患者ＩＤに対応付けられた送信順の履歴テーブルＴを参照し、それに従って一連の医用画像ｐを順番に送信するようになっている。
【０２９３】
例えば図２８に示した一連の医用画像ｐ１〜ｐ４の例で言えば、コンソールＣは、このデフォルトの状態では、頭部正面の医用画像ｐ３、胸部正面の医用画像ｐ２、腹部正面の医用画像ｐ１、脚部Ｒの医用画像ｐ４の順に読影用画像管理装置Ｓに送信するように送信順を定めて、読影システム１０２の読影用画像管理装置Ｓに一連の医用画像ｐ１〜ｐ４を順番に送信する。
【０２９４】
このようにして上記の送信順に従って送信された一連の医用画像ｐ１〜ｐ４は、読影用画像管理装置Ｓから所定の画像表示装置Ａに送信され、通常、患者Ｍの主治医により当該画像表示装置Ａで読影される。画像表示装置Ａの表示手段Ａａの画面上には、一連の医用画像ｐ１〜ｐ４が、コンソールＣから読影用画像管理装置Ｓに送信した送信順に表示される。
【０２９５】
そして、患者Ｍの主治医にとって、画像表示装置Ａの表示手段Ａａの画面上に表示される一連の医用画像ｐ１〜ｐ４の表示順すなわち上記の送信順に何ら不都合がなければ、通常、一連の医用画像ｐ１〜ｐ４の表示順は変更されない。従って、この場合は、表示順すなわち送信順に変更はないため、以後、コンソールＣは、患者Ｍに関する医用画像ｐを送信する際には、図２９に示した送信順すなわち履歴テーブルＴに従って、読影用画像管理装置Ｓに医用画像ｐを送信する。
【０２９６】
なお、当該患者に対し、次回に、履歴テーブルＴ上に定められていない撮影部位や撮影条件で撮影が行われた場合、すなわち、例えば図２９の履歴テーブルＴに定められていない、長尺撮影で取得された患者Ｍの全身画像等の撮影を行った場合は、コンソールＣは、これらの画像を新たな撮影部位や撮影条件で行われた医用画像ｐであるとして、図３０に示すように、履歴テーブルＴの最下段に撮影部位「全身」、撮影条件「正面Ｐ→Ａ」等として撮影部位や撮影条件を追加して履歴テーブルＴを修正する。
【０２９７】
そして、この修正した履歴テーブルＴに従って、医用画像ｐを読影用画像管理装置Ｓに送信するようになっている。従って、次々回、同様の撮影を行い、一連の医用画像ｐを送信する場合には、例えば上記の全身画像のような新たに送信順の履歴テーブルＴに追加された種類の医用画像ｐは、一連の医用画像ｐの最後に送信される。
【０２９８】
一方、医師等により、画像表示装置Ａの表示手段Ａａの画面上に例えば一連の医用画像ｐ１〜ｐ４を表示して読影する順番（すなわち表示順）が並べ替えられて変更された場合には、上記のように、画像表示装置Ａから読影用画像管理装置Ｓに、一連の医用画像ｐ１〜ｐ４の変更された表示順が通知される。
【０２９９】
この場合、例えば、上記のようにコンソールＣから読影用画像管理装置Ｓに、各医用画像ｐ１〜ｐ４が、頭部正面の医用画像ｐ３、胸部正面の医用画像ｐ２、腹部正面の医用画像ｐ１、脚部Ｒの医用画像ｐ４の順に送信されると、画像表示装置Ａの表示手段Ａａの画面上には、その順番で、各医用画像ｐ３、ｐ２、ｐ１、ｐ４が表示される。
【０３００】
そして、例えば、それらの医用画像ｐを医師等が読影する際に、頭部正面の医用画像ｐ３を他の医用画像ｐの後に移動させ、表示順を、例えば胸部正面の医用画像ｐ２、腹部正面の医用画像ｐ１、脚部Ｒの医用画像ｐ４、頭部正面の医用画像ｐ３の順に並べ替えて変更したとする。
【０３０１】
そして、このように画像表示装置Ａで各医用画像ｐ１〜ｐ４の表示順が変更されると、前述したように、画像表示装置Ａから読影用画像管理装置Ｓに、一連の医用画像ｐ１〜ｐ４の変更された表示順［ｐ２、ｐ１、ｐ４、ｐ３］が通知される。そして、本実施例では、読影用画像管理装置Ｓは、通知されてきた変更された表示順［ｐ２、ｐ１、ｐ４、ｐ３］を、放射線画像撮影システム１０１のコンソールＣに通知するようになっている。
【０３０２】
コンソールＣは、読影用画像管理装置Ｓから変更された表示順［ｐ２、ｐ１、ｐ４、ｐ３］が通知されると、この変更された表示順［ｐ２、ｐ１、ｐ４、ｐ３］に基づいて、医用画像ｐの送信順を規定する撮影部位や撮影条件の順番を修正して、新たな送信順の履歴テーブルＴを生成するようになっている。
【０３０３】
具体的には、この場合は、上記のように、頭部正面の医用画像ｐ３を、他の胸部正面の医用画像ｐ２や腹部正面の医用画像ｐ１、脚部Ｒの医用画像ｐ４の後に移動するように表示順が変更されているため、コンソールＣは、記憶手段Ｃｃから患者Ｍに関する送信順の履歴テーブルＴを読み出して、この履歴テーブルＴを、図２９に示した状態から図３１に示す状態に修正する。
【０３０４】
そして、この修正後の履歴テーブルＴを、記憶手段Ｃｃに記憶されている患者Ｍに関する送信順の履歴テーブルＴに上書き保存して記憶させるようになっている。なお、撮影部位が同じでも撮影条件が異なる医用画像ｐの表示順が変更された場合には、それにあわせて、送信順の履歴テーブルＴの当該撮影部位のうちの撮影条件の順番が修正されて、新たな送信順の履歴テーブルＴが生成される。
【０３０５】
このように、医師等により変更された表示順に対応するように一連の医用画像ｐの送信順を修正し、それを記憶させることで、例えば、患者Ｍの主治医が、患者Ｍに関する一連の医用画像ｐを読影したい場合に、主治医が読影したい順番で一連の医用画像ｐが画像表示装置Ａに送信されて表示されるようになる。
【０３０６】
そのため、主治医等が画像表示装置Ａの表示手段Ａａの画面上でいちいち医用画像ｐの表示順を変更しなくてもよく、また、主治医等が、コンソールＣにいちいち医用画像ｐの送信順を指定しなくても、主治医が読影したい順番で一連の医用画像ｐが画像表示装置Ａに送信されて表示されるため、放射線画像撮影システム１０１や読影システム１０２を含む医用画像システム１００（図２４参照）が、医師等にとって使い勝手が良いものになる。
【０３０７】
また、上記のように、修正後の履歴テーブルＴを、記憶手段Ｃｃに記憶されている患者Ｍに関する送信順の履歴テーブルＴに上書き保存して記憶させ、医用画像ｐの送信の際に、コンソールＣが記憶手段Ｃｃに記憶されている患者Ｍに関する送信順の履歴テーブルＴを参照して一連の医用画像ｐを送信するように構成することで、一連の医用画像ｐを、医師等が修正した表示順に従った送信順で確実に送信することが可能となる。
【０３０８】
そのため、患者Ｍの主治医等は、少なくとも患者Ｍに関しては毎回同じ表示順で一連の医用画像ｐを読影することが可能となり、自らの読影スタイルに合致した表示順で医用画像ｐを読影することが可能となる。
【０３０９】
さらに、患者Ｍの主治医等が、患者Ｍに関する一連の医用画像ｐの表示順を変更したい場合には、画像表示装置Ａの表示手段Ａａの画面上で表示順を並べ替えれば、それがそれ以降の医用画像ｐの送信順に反映されるため、医用画像ｐの表示順を容易に変更することが可能となる。この点においても、医用画像システム１００が、医師等にとって使い勝手が良いものになる。
【０３１０】
なお、上記の画像表示装置Ａで各医用画像ｐ１〜ｐ４の表示順が変更された場合のコンソールＣから読影用画像管理装置Ｓへの送信順の修正を、コンソールＣで行う代わりに、画像表示装置Ａから表示順の変更の通知を受けた読影用画像管理装置Ｓで行うように構成することも可能である。
【０３１１】
この場合、読影用画像管理装置Ｓは、画像処理装置Ａから、一連の医用画像ｐの表示順が変更されたことの通知を受けると、変更された表示順に基づいて、当該患者Ｍに関する一連の医用画像ｐの送信順を規定する履歴テーブルＴ上の撮影部位や撮影条件の順番を、例えば図２９に示した送信順から図３１に示した送信順に変更したようにして、送信順の履歴テーブルＴを修正して送信順を変更する。そして、変更した送信順の履歴テーブルＴをコンソールＣに通知する。
【０３１２】
そして、読影用画像管理装置Ｓは、このようにして修正して変更した患者Ｍに関する送信順の履歴テーブルＴの情報をコンソールＣに通知し、コンソールＣは、この読影用画像管理装置Ｓで修正された患者Ｍに関する送信順の履歴テーブルＴを、記憶手段Ｃｃに記憶されている患者Ｍに関する送信順の履歴テーブルＴに上書き保存して記憶させる。
【０３１３】
このように構成しても、上記の場合と全く同様の効果を奏することが可能となり、医用画像システム１００が、医師等にとって使い勝手が良いものになる。
【０３１４】
以上のように構成すれば、医用画像システム１００を構成する読影システム１０２の読影用画像管理装置Ｓや画像表示装置Ａで、ある患者に関する一連の医用画像ｐに対して表示順の変更が行われた場合、その変更された表示順に合致するように、医用画像システム１００を構成する放射線画像撮影システム１０１側のコンソールＣから上記の読影用画像管理装置Ｓへの当該患者に関する医用画像ｐの送信順が修正させて、コンソールＣ側でその修正された送信順を記憶する。
【０３１５】
そのため、ある患者の次回以降の撮影時、放射線技師等の操作者は、コンソールＣから当該患者に関する一連の医用画像ｐを、医師等が読影したい順番で送信することが可能となり、医師等が読影を行う画像表示装置Ａの表示手段Ａａの画面上に、一連の医用画像ｐを医師等が読影したい順番で表示させることが可能となる。
【０３１６】
そして、医師等が画像表示装置Ａの表示手段Ａａの画面上でいちいち医用画像ｐの表示順を変更しなくてもよく、また、医師等がコンソールＣにいちいち医用画像ｐの送信順を指定しなくても、医師等が読影したい順番で一連の医用画像ｐが画像表示装置Ａに自動的に送信されて表示される。そのため、一連の医用画像ｐを医師等の読影スタイルに合致した表示順で医用画像ｐを読影することが可能となり、医用画像システム１００が、医師等にとって使い勝手が良いものになる。
【０３１７】
なお、上記の実施例では、読影用画像管理装置Ｓや画像表示装置Ａで一連の医用画像ｐに対する表示順が変更された場合に、それを送信順に反映するように送信順をコンソールＣや読影用画像管理装置Ｓで修正する場合について説明したが、この他にも、例えば、放射線技師等の操作者が、一連の医用画像ｐを送信するに先立って、コンソールＣ側で患者Ｍに関する一連の医用画像ｐの送信順を変更することができるように構成することも可能である。
【０３１８】
例えば、放射線技師等の操作者が、患者Ｍの主治医が別の医師に交代したことを知り、当該別の医師の読影スタイルの表示順を知っているような場合には、当該別の医師により画像表示装置Ａ上で表示順が変更されるのを待つまでもなく、操作者が前もってコンソールＣの画面Ｈ２上で患者Ｍに関する一連の医用画像ｐの送信順を変更することができることが好ましい。
【０３１９】
このように構成すれば、コンソールＣと読影用画像管理装置Ｓとの間で、変更された表示順や送信順の情報のやり取りを行う必要がなくなり、医用画像システム１００への負荷が低減されるとともに、当該別の医師にとっても、一連の医用画像ｐの表示順の並べ替えを行う必要がなく、すぐに自らの読影スタイルの表示順で一連の医用画像ｐを読影することが可能となり、医用画像システム１００の使い勝手がさらに良いものになる。
【０３２０】
これを実現するために、本実施例のコンソールＣでは、図２８に示したように、選択された全ての撮影オーダ情報、すなわち図２８の場合はアイコンＩ１〜Ｉ４に対応する各撮影オーダ情報に基づく放射線画像撮影が全て終了し、各アイコンＩ１〜Ｉ４が表示されていた位置に、それぞれ対応する各医用画像ｐ１〜ｐ４が表示された状態になると、画面Ｈ２の各医用画像ｐ１〜ｐ４の上方に、「送信プレビュー」ボタンＢｐが表示されるようになっている。
【０３２１】
そして、操作者がこの「送信プレビュー」ボタンＢｐをクリックすると、画面が切り替わり、図３２に示すような送信プレビュー画面Ｈ３が表示される。送信プレビュー画面Ｈ３上には、上記の送信順の履歴テーブルＴに従って、医用画像ｐ１〜ｐ４に対応する各プレビュー画像が、例えば左側から順に並べて表示されるようになっている。以下、医用画像ｐ等と記載して説明するが、本実施例では、実際には、送信プレビュー画面Ｈ３には、各医用画像ｐに対応する各プレビュー画像が表示される。
【０３２２】
前述した図２９に示した送信順の履歴テーブルＴに従った場合、図３２に示すような表示順で一連の医用画像ｐ１〜ｐ４が送信プレビュー画面Ｈ３上に表示される。この場合、前述したように、送信順の履歴テーブルＴに従って、診断用の医用画像ｐ１〜ｐ４が、頭部正面の医用画像ｐ３、胸部正面の医用画像ｐ２、腹部正面の医用画像ｐ１、脚部Ｒの医用画像ｐ４の順に表示される。
【０３２３】
そして、その下方には、表示順の順番で送信してよいか否かを問うメッセージが表示されるようになっており、放射線技師等の操作者が表示した順番で一連の医用画像ｐ１〜ｐ４を送信するか否かを選択することができるようになっている。
【０３２４】
そして、操作者が「ＯＫ」ボタンをクリックすると、表示順、すなわち、図２９に示した患者Ｍに関する送信順の履歴テーブルＴに従って、各医用画像ｐ１〜ｐ４が、［ｐ３、ｐ２、ｐ１、ｐ４］の順番で読影用画像管理装置Ｓに送信される。
【０３２５】
また、この表示順で送信しない場合には、「ＮＧ」ボタンがクリックされる。「ＮＧ」ボタンがクリックされると、図３３に示すように、送信プレビュー画面Ｈ３上に表示された各医用画像ｐ１〜ｐ４の下方に、各医用画像ｐ１＊〜ｐ４＊が上側の医用画像ｐ１〜ｐ４と同じ順番で表示される。
【０３２６】
しかし、これらの下側に表示された各医用画像ｐ１＊〜ｐ４＊は、例えばドラッグアンドドロップを行うことにより、図３４に示すように、それらの表示順を変更することができるようになっている。
【０３２７】
そして、操作者がこのようにして各医用画像ｐ１＊〜ｐ４＊の表示順を変更して、下方の「決定」ボタンをクリックすると、コンソールＣは、図３５に示すように、各医用画像ｐ１〜ｐ４を変更された表示順［ｐ２、ｐ１、ｐ４、ｐ３］で表示するとともに、上記と同様にして、変更された表示順［ｐ２、ｐ１、ｐ４、ｐ３］に基づいて、医用画像ｐの送信順を規定する撮影部位や撮影条件の順番を修正する。
【０３２８】
この場合は、図３１に示したような新たな送信順の履歴テーブルＴを生成する。そして、コンソールＣは、この修正後の履歴テーブルＴを、記憶手段Ｃｃに記憶されている患者Ｍに関する送信順の履歴テーブルＴに上書き保存して記憶させるとともに、この変更後の送信順の履歴テーブルＴに従って、各医用画像ｐを［ｐ２、ｐ１、ｐ４、ｐ３］の順番で読影用画像管理装置Ｓに送信する。
【０３２９】
一方、このようなコンソールＣ側での医用画像ｐ１〜ｐ４の送信順の修正を、上記のように、各医用画像ｐ１〜ｐ４が生成された後に行う代わりに、或いはそれと併用して、上記のように選択画面Ｈ１上で各撮影オーダ情報を選択し、画面Ｈ２上に各撮影オーダ情報に対応する各アイコンＩ１〜Ｉ４が表示された段階で、各アイコンＩ１〜Ｉ４を用いて行うように構成することも可能である。
【０３３０】
この場合、図示を省略するが、画面Ｈ２上に、図２８に示したような「送信プレビュー」ボタンＢｐを表示させる。そして、この段階で「送信プレビュー」ボタンＢｐをクリックすると、図３２に示したような送信プレビュー画面Ｈ３が表示されるように構成する。
【０３３１】
なお、この場合、送信プレビュー画面Ｈ３上には、図３２に示したような各医用画像ｐ１〜ｐ４の代わりに、各アイコンＩ１〜Ｉ４が、送信順の履歴テーブルＴに従って、例えばアイコンＩ３、Ｉ２、Ｉ１、Ｉ４の順番で表示される。そして、それらのアイコンＩ１〜Ｉ４を、図３３〜図３５に示した各医用画像ｐ１〜ｐ４、ｐ１＊〜ｐ４＊のように表示したり並べ替えたりして、コンソールＣ側で、医用画像ｐ１〜ｐ４の送信順の修正を行うように構成することができる。
【０３３２】
この場合、各アイコンＩ１〜Ｉ４は、送信プレビュー画面Ｈ３上で［Ｉ２、Ｉ１、Ｉ４、Ｉ３］の順に並べ替えられるが、その後、画面が画面Ｈ２に切り替えられた際に、上記の順番の変更にあわせて、画面Ｈ２上でも、各アイコンＩ２、Ｉ１、Ｉ４、Ｉ３を左上、右上、左下、右下の順に表示するように構成することも可能である。このように構成すれば、変更された医用画像ｐ１〜ｐ４の送信順［ｐ２、ｐ１、ｐ４、ｐ３］に従って、放射線画像撮影を順次行うように構成することが可能となる。
【０３３３】
なお、上記の実施例や変形例では、医用画像システム１００を構成する放射線画像撮影システム１０１の撮影室Ｒａ（図２５参照）にブッキー装置５１が設置されている場合が設置されている場合について説明したが、例えば、放射線画像撮影装置１が支持台等と一体的に形成された、いわゆる専用機のみが設置されている状況や、ブッキー装置５１と専用機とが撮影室Ｒａ内に混在する状況においても、本発明が適用可能である。
【０３３４】
また、上記の各実施形態や実施例等におけるブッキー装置５１や専用機には、例えば、患者の身長方向に放射線画像撮影装置の位置を変えながら患者の身体の広い範囲を撮影する、いわゆる長尺撮影を行うことが可能な放射線画像撮影装置や、患者の乳房を撮影可能な、いわゆるマンモグラフィ装置等の、他の形態の放射線画像撮影装置も含まれ得る。そして、その場合も、本発明が適用可能である。
【０３３５】
さらに、その他、本実施例に限定されず、適宜の変更が可能である。
【産業上の利用可能性】
【０３３６】
放射線画像撮影を行う分野（特に医療分野）において利用可能性がある。
【符号の説明】
【０３３７】
１  放射線画像撮影装置（可搬型放射線画像撮影装置）
７  放射線検出素子
３８  選択スイッチ（選択手段）
５０、１０１  放射線画像撮影システム
５１  ブッキー装置
５１Ａ  立位撮影用のブッキー装置
５１Ｂ  臥位撮影用のブッキー装置
５２、５２Ａ、５２Ｂ  放射線源
５８、Ｃ  コンソール
５８ａ  表示部
Ｄ  画像データ
Ｄｔ  間引きデータ
Ｉ、Ｉ１〜Ｉ４  アイコン
Ｍ  患者
ｐ  放射線画像、医用画像
ｐ１〜ｐ４  一連の医用画像
ｐ_pre  プレビュー画像
Ｓ  読影用画像管理装置（外部装置）
Ｔ  テーブル（送信順）
【図１】
0005880433.tif 000002
【図２】
0005880433.tif 000003
【図３】
0005880433.tif 000004
【図４】
0005880433.tif 000005
【図５】
0005880433.tif 000006
【図６】
0005880433.tif 000007
【図７】
0005880433.tif 000008
【図８】
0005880433.tif 000009
【図９】
0005880433.tif 000010
【図１０】
0005880433.tif 000011
【図１１】
0005880433.tif 000012
【図１２】
0005880433.tif 000013
【図１３】
0005880433.tif 000014
【図１４】
0005880433.tif 000015
【図１５】
0005880433.tif 000016
【図１６】
0005880433.tif 000017
【図１７】
0005880433.tif 000018
【図１８】
0005880433.tif 000019
【図１９】
0005880433.tif 000020
【図２０】
0005880433.tif 000021
【図２１】
0005880433.tif 000022
【図２２】
0005880433.tif 000023
【図２３】
0005880433.tif 000024
【図２４】
0005880433.tif 000025
【図２５】
0005880433.tif 000026
【図２６】
0005880433.tif 000027
【図２７】
0005880433.tif 000028
【図２８】
0005880433.tif 000029
【図２９】
0005880433.tif 000030
【図３０】
0005880433.tif 000031
【図３１】
0005880433.tif 000032
【図３２】
0005880433.tif 000033
【図３３】
0005880433.tif 000034
【図３４】
0005880433.tif 000035
【図３５】
0005880433.tif 000036